(57)【要約】【課題】被監視者の状態を容易に把握する。【解決手段】監視者による被監視者の監視を支援する支援システムであって、被監視者を監視することにより得られた被監視者の状態を表す状態情報を出力するセンサ装置と、センサ装置と通信可能に接続され、状態情報を表示する据置型表示装置と、を備え、センサ装置は、状態情報により表される被監視者の状態ごとに区別可能に状態情報を出力し、据置型表示装置は、被監視者の部屋に対応して設置され、被監視者の状態ごとに異なる表示態様で状態情報を表示する。【選択図】図１
2018114072.tif 000002
【特許請求の範囲】
【請求項１】
監視者による被監視者の監視を支援する支援システムであって、
前記被監視者を監視することにより得られた前記被監視者の状態を表す状態情報を出力するセンサ装置と、
前記センサ装置と通信可能に接続され、前記状態情報を表示する据置型表示装置と、を備え、
前記センサ装置は、前記状態情報により表される前記被監視者の状態ごとに区別可能に前記状態情報を出力し、
前記据置型表示装置は、前記被監視者の部屋に対応して設置され、前記被監視者の状態ごとに異なる表示態様で前記状態情報を表示する、
支援システム。
【請求項２】
前記据置型表示装置は、
互いに異なる色で点灯する複数の表示器と、
前記状態情報から前記被監視者の状態を判定し、前記複数の表示器のうち、判定した前記被監視者の状態に対して予め定められた色の表示器を点灯する表示制御部と、を含む、
請求項１に記載の支援システム。
【請求項３】
前記据置型表示装置は、
所定の色で点灯する表示器と、
前記状態情報から前記被監視者の状態を判定し、判定した前記被監視者の状態に対して予め定められた点滅周波数で前記表示器を点滅する表示制御部と、を含む、
請求項１に記載の支援システム。
【請求項４】
前記センサ装置と通信可能に接続され、前記被監視者の部屋に設置され、前記被監視者に対応して設けられたナースコール装置を更に備え、
前記ナースコール装置は、
呼出し用の送信スイッチと、
無線通信を行うためのナースコール通信部と、
前記送信スイッチが前記被監視者により操作されると前記ナースコール通信部を用いて呼出し要求を送信するナースコール制御部と、を含み、
前記センサ装置は、前記ナースコール通信部を用いて前記ナースコール装置から前記呼出し要求が送信されると、前記呼出し要求を前記状態情報として出力し、
前記据置型表示装置は、前記呼出し要求に対して予め定められた表示態様で、前記状態情報を表示する、
請求項１〜３のいずれか１項に記載の支援システム。
【請求項５】
前記センサ装置と通信可能に接続された中央処理装置を更に備え、
前記センサ装置は、
前記被監視者を撮像して前記被監視者の画像を出力する撮像部と、
二次電池を有し、停電時に前記二次電池から前記センサ装置に電力を供給する非常用電源部と、
前記二次電池から前記センサ装置に電力が供給されているか否かを判定する停電判定部と、を含み、
前記センサ装置は、前記二次電池から前記センサ装置に電力が供給されていないと前記停電判定部により判定されると、前記被監視者の画像と前記状態情報とを前記中央処理装置に送信する一方、前記二次電池から前記センサ装置に電力が供給されていると前記停電判定部により判定されると、前記被監視者の画像を除いて前記状態情報のみを前記中央処理装置に送信する、
請求項１〜４のいずれか１項に記載の支援システム。
【請求項６】
Ｎ（Ｎは２以上の整数）個の前記センサ装置と、
Ｎ個の前記据置型表示装置と、を備え、
前記支援システムは、前記監視者によるＮ人の前記被監視者の監視を支援し、
Ｎ個の前記センサ装置は、それぞれ、Ｎ人の前記被監視者に対応して設けられ、
Ｎ個の前記据置型表示装置は、それぞれ、Ｎ人の前記被監視者に対応して設置されている、
請求項１〜５のいずれか１項に記載の支援システム。
【請求項７】
前記被監視者を監視することにより得られた前記被監視者の状態を表す状態情報を出力するセンサ装置と、
前記センサ装置と通信可能に接続され、前記状態情報を表示する据置型表示装置と、を備え、監視者による被監視者の監視を支援する支援システムに用いられる支援制御方法であって、
前記状態情報により表される前記被監視者の状態ごとに区別可能に前記状態情報を前記センサ装置から出力する出力ステップと、
前記被監視者の部屋に対応して設置された前記据置型表示装置により、前記被監視者の状態ごとに異なる表示態様で前記状態情報を表示する表示ステップと、
を備える支援制御方法。
【発明の詳細な説明】
【技術分野】
【０００１】
本発明は、被監視者を監視する監視者を支援する支援システム及び該支援システムに用いられる支援制御方法に関する。
【背景技術】
【０００２】
近年の我が国（日本）のような高齢化社会では、病気や怪我や高齢等により看護や介護を必要とする者（要ケア者）の数の増加が、今後さらに見込まれる。このような要ケア者は、病院や、老人福祉施設等の施設に入所し、その看護や介護を受ける。このような病院や老人福祉施設等の施設では、要ケア者の看護や介護をする者（ケア者）が、定期的に巡視することによってその安否を確認している。一方、安否確認の点では、一人暮らしの独居者も、要ケア者となる。
【０００３】
しかしながら、日勤の時間帯に較べ、準夜勤や夜勤の時間帯では、ケア者の人数が減り、一人当たりの業務負荷が増大するので業務負荷の軽減が要請される。このため、近年では、要ケア者を被監視者として監視するケア者を支援する支援システムが研究、開発されている。
【０００４】
このような支援システムとして、従来、要ケア者の一例である患者が、ナースコール子機を用いてケア者の一例である看護師を呼び出すように構成されたシステムが知られている（例えば特許文献１参照）。この特許文献１に記載のシステムは、ベッド毎に設置されて患者を撮像するカメラと、病室の出入口に設置されて患者からの呼出発生を報知する表示灯と、ナースステーションに設置されて患者からの呼び出しを受けて応答するためのナースコール親機とを備える。この特許文献１に記載のシステムによれば、患者からの呼出発生は、ナースステーションに詰めている看護師だけでなく、ナースステーションから出て病室の外の廊下を通行している看護師も知ることができる。
【先行技術文献】
【特許文献】
【０００５】
【特許文献１】特開２０１４−９０９１３号公報
【発明の概要】
【発明が解決しようとする課題】
【０００６】
しかしながら、上記特許文献１に記載のシステムでは、病室の出入口に設置された表示灯は、点灯又は消灯するだけであるので、病室の出入口に設置された表示灯によれば、患者からの呼出発生の有無が分かるだけである。このため、患者等の被監視者の状態を知るためには、カメラにより撮像された映像を確認するか、又は病室に入って被監視者を直接確認する必要がある。これに対して、被監視者の状態を容易に把握できるようにすることが望まれる。
【０００７】
本発明は、上述の事情に鑑みて為された発明であり、被監視者の状態を容易に把握できる支援システム及び支援制御方法を提供することを目的とする。
【課題を解決するための手段】
【０００８】
本発明の一態様は、
監視者による被監視者の監視を支援する支援システムであって、
前記被監視者を監視することにより得られた前記被監視者の状態を表す状態情報を出力するセンサ装置と、
前記センサ装置と通信可能に接続され、前記状態情報を表示する据置型表示装置と、を備え、
前記センサ装置は、前記状態情報により表される前記被監視者の状態ごとに区別可能に前記状態情報を出力し、
前記据置型表示装置は、前記被監視者の部屋に対応して設置され、前記被監視者の状態ごとに異なる表示態様で前記状態情報を表示するものである。
【０００９】
本態様では、センサ装置から、状態情報により表される被監視者の状態ごとに区別可能に状態情報が出力される。被監視者の部屋に対応して設置された据置型表示装置により、被監視者の状態ごとに異なる表示態様で状態情報が表示される。したがって、本態様によれば、据置型表示装置により表示される表示態様によって、被監視者の状態を容易に把握できる。
【００１０】
上記態様において、前記据置型表示装置は、前記被監視者の部屋の外壁、又は前記被監視者の部屋の前の廊下、又は前記監視者の部屋に設置されてもよい。
【００１１】
上記態様において、例えば、前記据置型表示装置は、互いに異なる色で点灯する複数の表示器と、前記状態情報から前記被監視者の状態を判定し、前記複数の表示器のうち、判定した前記被監視者の状態に対して予め定められた色の表示器を点灯する表示制御部と、を含んでもよい。
【００１２】
本態様では、状態情報から被監視者の状態が判定され、互いに異なる色で点灯する複数の表示器のうち、判定された被監視者の状態に対して予め定められた色の表示器が点灯される。したがって、本態様によれば、監視者は、点灯した表示器の色を見るだけで、被監視者の状態を容易に理解することができる。
【００１３】
上記態様において、例えば、前記据置型表示装置は、所定の色で点灯する表示器と、前記状態情報から前記被監視者の状態を判定し、判定した前記被監視者の状態に対して予め定められた点滅周波数で前記表示器を点滅する表示制御部と、を含んでもよい。
【００１４】
本態様では、状態情報から被監視者の状態が判定され、判定された被監視者の状態に対して予め定められた点滅周波数で表示器が点滅される。したがって、本態様によれば、監視者は、点滅する表示器を見るだけで、被監視者の状態を容易に理解することができる。
【００１５】
上記態様において、例えば、前記センサ装置と通信可能に接続され、前記被監視者の部屋に設置され、前記被監視者に対応して設けられたナースコール装置を更に備えてもよい。前記ナースコール装置は、呼出し用の送信スイッチと、無線通信を行うためのナースコール通信部と、前記送信スイッチが前記被監視者により操作されると前記ナースコール通信部を用いて呼出し要求を送信するナースコール制御部と、を含んでもよい。前記センサ装置は、前記ナースコール通信部を用いて前記ナースコール装置から前記呼出し要求が送信されると、前記呼出し要求を前記状態情報として出力してもよい。前記据置型表示装置は、前記呼出し要求に対して予め定められた表示態様で、前記状態情報を表示してもよい。
【００１６】
本態様では、ナースコール通信部を用いてナースコール装置から呼出し要求が送信されると、呼出し要求が状態情報として出力される。据置型表示装置によって、呼出し要求に対して予め定められた表示態様で状態情報が表示される。したがって、本態様によれば、据置型表示装置の表示態様によって、監視者は、呼出し要求があったことを容易に把握することができる。
【００１７】
上記態様において、例えば、前記センサ装置と通信可能に接続された中央処理装置を更に備えてもよい。前記センサ装置は、前記被監視者を撮像して前記被監視者の画像を出力する撮像部と、二次電池を有し、停電時に前記二次電池から前記センサ装置に電力を供給する非常用電源部と、前記二次電池から前記センサ装置に電力が供給されているか否かを判定する停電判定部と、を含んでもよい。前記センサ装置は、前記二次電池から前記センサ装置に電力が供給されていないと前記停電判定部により判定されると、前記被監視者の画像と前記状態情報とを前記中央処理装置に送信する一方、前記二次電池から前記センサ装置に電力が供給されていると前記停電判定部により判定されると、前記被監視者の画像を除いて前記状態情報のみを前記中央処理装置に送信してもよい。
【００１８】
本態様では、二次電池からセンサ装置に電力が供給されていないと判定されると、被監視者の画像と状態情報とが中央処理装置に送信される。したがって、被監視者の画像と状態情報とを中央処理装置に保存しておくことができる。一方、二次電池からセンサ装置に電力が供給されていると判定されると、被監視者の画像を除いて状態情報のみが中央処理装置に送信される。したがって、本態様によれば、被監視者の画像がセンサ装置から送信されないので、二次電池の過度の消耗を避けることができる。
【００１９】
上記態様において、例えば、Ｎ（Ｎは２以上の整数）個の前記センサ装置と、Ｎ個の前記据置型表示装置と、を備えてもよい。前記支援システムは、前記監視者によるＮ人の前記被監視者の監視を支援してもよい。Ｎ個の前記センサ装置は、それぞれ、Ｎ人の前記被監視者に対応して設けられてもよい。Ｎ個の前記据置型表示装置は、それぞれ、Ｎ人の前記被監視者に対応して設置されていてもよい。
【００２０】
本態様では、Ｎ個のセンサ装置から、それぞれ、状態情報により表されるＮ人の被監視者の状態ごとに区別可能に状態情報が出力される。Ｎ人の被監視者に対応して設置されたＮ個の据置型表示装置により、それぞれ、Ｎ人の被監視者の状態ごとに異なる表示態様で状態情報が表示される。したがって、本態様によれば、Ｎ個の据置型表示装置により表示される表示態様によって、Ｎ人の被監視者の状態から、優先して対応すべき被監視者を知ることができる。
【００２１】
上記態様において、例えば、
Ｎ人の前記被監視者は、互いに共通又は異なる少なくとも２個の部屋を使用し、
前記少なくとも２個の部屋は、直線形状又はＬ字形状又は十字形状の廊下に面して並んで配置され、
Ｎ個の前記据置型表示装置は、それぞれ、前記少なくとも２個の部屋の前記廊下に面する外壁に設置されていてもよい。
【００２２】
この態様によれば、直線形状の廊下に位置する監視者、Ｌ字形状又は十字形状の廊下の交差部分に位置する監視者は、移動することなく、Ｎ個の据置型表示装置を見渡すことができる。したがって、災害又は停電等の非常時にＮ人の被監視者の安否を一斉に確認しなければならない場合であっても、Ｎ人の被監視者の状態を見比べることにより、Ｎ人のなかで優先して対応すべき被監視者を即座に知ることができる。
【００２３】
本発明の他の態様は、
前記被監視者を監視することにより得られた前記被監視者の状態を表す状態情報を出力するセンサ装置と、
前記センサ装置と通信可能に接続され、前記状態情報を表示する据置型表示装置と、を備え、監視者による被監視者の監視を支援する支援システムに用いられる支援制御方法であって、
前記状態情報により表される前記被監視者の状態ごとに区別可能に前記状態情報を前記センサ装置から出力する出力ステップと、
前記被監視者の部屋に対応して設置された前記据置型表示装置により、前記被監視者の状態ごとに異なる表示態様で前記状態情報を表示する表示ステップと、
を備えるものである。
【００２４】
本態様では、出力ステップにおいて、センサ装置から、状態情報により表される被監視者の状態ごとに区別可能に状態情報が出力される。表示ステップにおいて、被監視者の部屋に対応して設置された据置型表示装置により、被監視者の状態ごとに異なる表示態様で状態情報が表示される。したがって、本態様によれば、据置型表示装置により表示される表示態様によって、被監視者の状態を容易に把握できる。
【発明の効果】
【００２５】
本発明によれば、被監視者の状態を容易に把握できる。
【図面の簡単な説明】
【００２６】
【図１】本実施形態の支援システムの構成を示す図である。
【図２】センサ装置の構成を示すブロック図である。
【図３】管理サーバ装置の構成を示すブロック図である。
【図４】サーバ側監視情報テーブルの構成を示す図である。
【図５】装置間情報テーブルの構成を示す図である。
【図６】サーバ側センサ情報テーブルの構成を示す図である。
【図７】端末情報テーブルのログイン監視者情報テーブルの構成を示す図である。
【図８】携帯端末装置の構成を示すブロック図である。
【図９】廊下灯の構成を示すブロック図である。
【図１０】点灯情報テーブルの構成を示す図である。
【図１１】ナースコール装置の構成を示すブロック図である。
【図１２】センサ装置の動作を示すフローチャートである。
【図１３】センサ装置の動作を示すフローチャートである。
【図１４】管理サーバ装置の動作を示すフローチャートである。
【図１５】図１４の監視情報の処理サブルーチンを示すフローチャートである。
【図１６】廊下灯の動作を示すフローチャートである。
【図１７】携帯端末装置の動作を示すフローチャートである。
【図１８】携帯端末装置に表示される待受け画面の一例を示す図である。
【図１９】携帯端末装置に表示される監視情報画面の一例を示す図である。
【図２０】携帯端末装置に表示されるナースコール受付画面の一例を示す図である。
【図２１】携帯端末装置に表示されるサブメニュー画面の一例を示す図である。
【図２２】携帯端末装置に表示される対象者選択画面の一例を示す図である。
【図２３】携帯端末装置に表示される書式選択画面の一例を示す図である。
【図２４】携帯端末装置に表示される食事ケア用記録書式画面の一例を示す図である。
【図２５】廊下灯の図９と異なる構成例を概略的に示すブロック図である。
【図２６】図２５の廊下灯に記憶されている点灯情報テーブルを示す図である。
【発明を実施するための形態】
【００２７】
（本発明の基礎となった知見）
まず、本発明の基礎となった知見が説明される。上述のように、上記特許文献１に開示されたシステムでは、患者の状態を知るためには、カメラにより撮像された映像を確認するか、又は病室に入って患者を直接確認する必要があるため、患者の状態を容易に把握できるようにすることが望まれる。
【００２８】
一方、上記特許文献１に開示されたシステムでは、カメラにより撮像された患者の映像は、ナースコール親機に送信され、その後、ナースコール親機から看護師の携行する携帯端末に送信されるように構成されている。したがって、看護師は、携帯端末に表示された患者の映像を確認することにより、患者の状態を把握することができる。
【００２９】
しかしながら、災害等の異常が発生したときに、多くの患者の映像が一斉に看護師の携行する携帯端末に送信されると、全ての患者の状態を把握するのは困難となる。一部の患者の状態を見落とすこともある。これに対して、災害等の異常発生時には、患者に対する対応の優先順位を正確に決定することが望まれる。
【００３０】
また、災害等の異常発生時に停電した場合に、カメラにより撮像された患者の映像をナースコール親機に継続して送信すると、バックアップ電源として電池を備えていたとしても、電池の消耗が急速に進む。このため、カメラによる患者の撮像を続けたり、ナースコール子機の動作を続けたりすることも困難となる。
【００３１】
これらの知見に基づいて、本発明者は、被監視者の状態を容易に把握できるように、停電時にも電池で動作することが可能で、被監視者の状態に応じて異なる表示態様で表示するように構成された据置型表示装置を備えたシステムを想到するに至った。
【００３２】
（実施の形態）
以下、本発明にかかる実施の一形態を図面に基づいて説明する。なお、各図において同一の符号を付した構成は、同一の構成であることを示し、適宜、その説明を省略する。本明細書において、総称する場合には添え字を省略した参照符号で示し、個別の構成を指す場合には添え字を付した参照符号で示す。
【００３３】
（構成）
図１は、本実施形態の支援システムＭＳの構成を示す図である。図２は、センサ装置ＳＵの構成を示すブロック図である。図３は、管理サーバ装置ＳＶの構成を示すブロック図である。図４は、サーバ側監視情報テーブルの構成を示す図である。図５は、装置間情報テーブルの構成を示す図である。図５Ａは、装置間情報テーブルのうちの通知先対応関係情報テーブルの構成を示し、図５Ｂは、装置間情報テーブルのうちの通信アドレス対応関係情報テーブルの構成を示す。図６は、サーバ側センサ情報テーブルの構成を示す図である。図７は、端末情報テーブルのログイン監視者情報テーブルの構成を示す図である。図８は、携帯端末装置ＴＡの構成を示すブロック図である。図９は、廊下灯ＳＤの構成を示すブロック図である。図１０は、点灯情報テーブル１０００の構成を示す図である。図１１は、ナースコール装置ＮＣの構成を示すブロック図である。
【００３４】
本実施形態における支援システムＭＳは、監視すべき監視対象である被監視者Ｏｂを複数の装置を用いて監視者が監視することを支援する。なお、被監視者Ｏｂは、見守るべき見守り対象である見守り対象者ということもできる。本実施形態の支援システムＭＳは、被監視者Ｏｂに対応して設けられ、画像を生成し、前記被監視者Ｏｂに関わる所定のイベント（例えば対処が必要な所定のイベント）を検知するセンサ装置ＳＵ、センサ装置ＳＵと通信可能に接続されセンサ装置ＳＵから受信した被監視者Ｏｂの状態に応じた表示態様で表示する廊下灯ＳＤ、センサ装置ＳＵと通信可能に接続されナースコールをセンサ装置ＳＵに送信するナースコール装置ＮＣ、センサ装置ＳＵと通信可能に接続されセンサ装置ＳＵから受信した画像および検知結果を管理する管理サーバ装置ＳＶ、および、管理サーバ装置ＳＶと通信可能に接続され管理サーバ装置ＳＶを介して前記画像および検知結果を受信して表示する端末装置ＳＰ，ＴＡを備える。
【００３５】
前記端末装置は、１種類の装置であって良いが、本実施形態態では、前記端末装置は、固定端末装置ＳＰと携帯端末装置ＴＡとの２種類の装置である。これら固定端末装置ＳＰと携帯端末装置ＴＡとの主な相違は、固定端末装置ＳＰが固定的に運用される一方、携帯端末装置ＴＡが例えば看護師や介護士等の監視者（ユーザ）に携行されて運用される点である。これら固定端末装置ＳＰと携帯端末装置ＴＡとは、略同様であるので、以下の実施形態では、携帯端末装置ＴＡを主に説明する。
【００３６】
本実施形態における支援システムＭＳは、より具体的には、例えば、図１に示すように、１または複数のセンサ装置ＳＵ（ＳＵ−１〜ＳＵ−４）と、管理サーバ装置ＳＶと、固定端末装置ＳＰと、１または複数の携帯端末装置ＴＡ（ＴＡ−１、ＴＡ−２）と、構内交換機（ＰＢＸ、Ｐｒｉｖａｔｅ  ｂｒａｎｃｈ  ｅｘｃｈａｎｇｅ）ＣＸとを備え、これらは、有線や無線で、ＬＡＮ（Ｌｏｃａｌ  Ａｒｅａ  Ｎｅｔｗｏｒｋ）等のネットワークＮＷを介して通信可能に接続される。ネットワークＮＷは、通信信号を中継する例えばリピーター、ブリッジおよびルーター等の中継機が備えられても良い。
【００３７】
図１に示す例では、これら複数のセンサ装置ＳＵ−１〜ＳＵ−４、管理サーバ装置ＳＶ、固定端末装置ＳＰ、複数の携帯端末装置ＴＡ−１、ＴＡ−２および構内交換機ＣＸは、Ｌ２スイッチの集線装置ＬＳおよびアクセスポイントＡＰを含む有線および無線の混在したネットワーク（例えばＩＥＥＥ８０２．１１規格に従ったＬＡＮ等）ＮＷによって互いに通信可能に接続されている。
【００３８】
より詳しくは、複数のセンサ装置ＳＵ−１〜ＳＵ−４、管理サーバ装置ＳＶ、固定端末装置ＳＰおよび構内交換機ＣＸは、集線装置ＬＳに接続され、複数の携帯端末装置ＴＡ−１、ＴＡ−２は、アクセスポイントＡＰを介して集線装置ＬＳに接続されている。そして、ネットワークＮＷは、ＴＣＰ（Ｔｒａｎｓｍｉｓｓｉｏｎ  ｃｏｎｔｒｏｌ  ｐｒｏｔｏｃｏｌ）およびＩＰ（Ｉｎｔｅｒｎｅｔ  ｐｒｏｔｏｃｏｌ）等のインターネットプロトコル群が用いられることによっていわゆるイントラネットを構成する。構内交換機ＣＸは、公衆電話網ＰＮによって電話ＴＬと接続されている。
【００３９】
本実施形態における支援システムＭＳは、さらに、ナースコール装置ＮＣと、廊下灯ＳＤと、を備える。ナースコール装置ＮＣは、各部屋ＲＭに配置され、被監視者Ｏｂが監視者ＮＳを呼び出すときに用いられる装置である。廊下灯ＳＤは、被監視者Ｏｂの状態を簡易に表示する装置である。
【００４０】
複数のナースコール装置ＮＣ−１〜ＮＣ−４は、それぞれ、複数のセンサ装置ＳＵ−１〜ＳＵ−４と無線通信可能に接続されている。複数の廊下灯ＳＤ−１〜ＳＤ−４は、それぞれ、複数のセンサ装置ＳＵ−１〜ＳＵ−４と無線通信可能に接続されている。ナースコール装置ＮＣとセンサ装置ＳＵとの間の無線通信、廊下灯ＳＤとセンサ装置ＳＵとの間の無線通信は、例えばＩＥＥＥ８０２．１５．１の規格に従ってもよい。なお、ナースコール装置ＮＣとセンサ装置ＳＵ、廊下灯ＳＤとセンサ装置ＳＵとは、それぞれ、有線で接続されてもよい。ナースコール装置ＮＣと、廊下灯ＳＤとについては、後に詳述される。
【００４１】
支援システムＭＳは、被監視者Ｏｂに応じて適宜な場所に配設される。被監視者Ｏｂは、例えば、病気や怪我等によって看護を必要とする者や、身体能力の低下等によって介護を必要とする者や、一人暮らしの独居者等である。特に、早期発見と早期対処とを可能にする観点から、被監視者Ｏｂは、例えば異常状態等の所定の不都合なイベントがその者に生じた場合にその発見を必要としている者であることが好ましい。このため、支援システムＭＳは、被監視者Ｏｂの種類に応じて、病院、老人福祉施設および住戸等の建物に好適に配設される。図１に示す例では、支援システムＭＳは、複数の被監視者Ｏｂが入居する複数の部屋ＲＭや、ナースステーション等の複数の部屋を備える介護施設の建物に配設されている。
【００４２】
センサ装置ＳＵは、ネットワークＮＷを介して他の装置ＳＶ、ＳＰ、ＴＡと通信する通信機能等を備え、被監視者Ｏｂに関わる所定のイベントを、管理サーバ装置ＳＶへ通知する装置である。前記所定のイベントは、好適には対処が必要な所定のイベントであり、例えば、本実施形態では、被監視者Ｏｂにおける予め設定された所定の行動およびナースコールである。
【００４３】
このため、本実施形態では、センサ装置ＳＵは、被監視者Ｏｂにおける所定の行動を検知して検知結果を前記所定のイベントの一例として管理サーバ装置ＳＶへ通知し、被監視者Ｏｂのナースコール装置ＮＣに対する操作によるナースコールを受け付けて前記ナースコールを前記所定のイベントの他の一例として管理サーバ装置ＳＶへ通知し、端末装置ＳＰ、ＴＡとの間で音声通話を行い、そして、動画を含む画像を生成して端末装置ＳＰ、ＴＡへ画像を配信する装置である。
【００４４】
このようなセンサ装置ＳＵは、例えば、図２に示すように、センサ側制御処理部（ＳＵ制御処理部）１０と、撮像部１１と、センサ側音入出力部（ＳＵ音入出力部）１２と、ドップラセンサ１３と、センサ側通信インターフェース部（ＳＵ通信ＩＦ部）１４，１５と、センサ側記憶部（ＳＵ記憶部）１６と、非常用電源１７とを備える。
【００４５】
撮像部１１は、ＳＵ制御処理部１０に接続され、ＳＵ制御処理部１０の制御に従って、画像（画像データ）を生成する装置である。前記画像には、静止画（静止画データ）および動画（動画データ）が含まれる。撮像部１１は、監視すべき監視対象である被監視者Ｏｂが所在を予定している空間（所在空間、図１に示す例では配設場所の部屋ＲＭ）を監視可能に配置され、前記所在空間を撮像対象としてその上方から撮像し、前記撮像対象を俯瞰した画像（画像データ）を生成し、前記撮像対象の画像である対象画像をＳＵ制御処理部１０へ出力する。
【００４６】
好ましくは、監視対象の被監視者Ｏｂ全体を撮像できる蓋然性が高いことから、撮像部１１は、被監視者Ｏｂが横臥する例えばベッド等の寝具における、被監視者Ｏｂの頭部が位置すると予定されている予め設定された頭部予定位置、すなわち通常は枕の配設位置の直上から撮像対象を撮像できるように配設される。センサ装置ＳＵは、この撮像部１１によって、被監視者Ｏｂを、被監視者Ｏｂの上方から撮像した画像、好ましくは前記頭部予定位置の直上から撮像した画像を取得する。
【００４７】
このような撮像部１１は、可視光の画像を生成する装置であって良いが、比較的暗がりでも被監視者Ｏｂを監視できるように、本実施形態では、赤外線の画像を生成する装置である。このような撮像部１１は、例えば、本実施形態では、撮像対象における赤外の光学像を所定の結像面上に結像する結像光学系、前記結像面に受光面を一致させて配置され、前記撮像対象における赤外の光学像を電気的な信号に変換するエリアイメージセンサ、および、エリアイメージセンサの出力を画像処理することで前記撮像対象における赤外の画像を表すデータである画像データを生成する画像処理部等を備えるデジタル赤外線カメラである。撮像部１１の前記結像光学系は、本実施形態では、その配設された部屋ＲＭ全体を撮像できる画角を持つ広角な光学系、例えば魚眼レンズを含む広角レンズであることが好ましい。
【００４８】
ＳＵ音入出力部１２は、音を入出力する回路である。すなわち、ＳＵ音入出力部１２は、ＳＵ制御処理部１０に接続され、ＳＵ制御処理部１０の制御に従って音を表す電気信号に応じた音を生成して出力するための回路であって、外部の音を取得してセンサ装置ＳＵに入力するための回路である。ＳＵ音入出力部１２は、例えば、音の電気信号である音データを音の機械振動信号である音響信号に変換するスピーカ等と、可聴領域の音の機械振動信号を電気信号に変換するマイクロフォン等とを備える。ＳＵ音入出力部１２は、外部の音を表す電気信号をＳＵ制御処理部１０へ出力し、また、ＳＵ制御処理部１０から入力された電気信号を音の機械振動信号に変換して出力する。
【００４９】
ドップラセンサ１３は、送信波を送信し、物体で反射した送信波の反射波を受信し、送信波と反射波とに基づいてドップラ周波数成分のドップラ信号を出力するセンサ装置である。物体が動いている場合、いわゆるドップラ効果により物体の動いている速度に比例して反射波の周波数がシフトするため、送信波の周波数と反射波の周波数とに差（ドップラ周波数成分）が生じる。ドップラセンサ１３は、このドップラ周波数成分の信号をドップラ信号として生成し、出力する。
【００５０】
送信波は、超音波やマイクロ波等であって良いが、本実施形態では、２．４ＧＨｚ〜２４ＧＨｚのマイクロ波である。マイクロ波は、着衣を透過して生体の体表で反射できるため、生体が衣服を着ていても体表の動きを検知でき、好ましい。このドップラ周波数成分のドップラ信号は、ドップラセンサ１３からＳＵ制御処理部１０へ出力される。
【００５１】
ＳＵ通信ＩＦ部１４は、ＳＵ制御処理部１０に接続され、ＳＵ制御処理部１０の制御に従って、ネットワークＮＷを介して、管理サーバ装置ＳＶ、固定端末装置ＳＰ、携帯端末装置ＴＡと通信を行うための通信回路である。ＳＵ通信ＩＦ部１４と集線装置ＬＳ（図１）とは、有線で接続されているので、ＳＵ通信ＩＦ部１４は、例えば有線ＬＡＮの通信回路である。
【００５２】
ＳＵ通信ＩＦ部１４は、ＳＵ制御処理部１０から入力された転送すべきデータを収容した通信信号を、この支援システムＭＳのネットワークＮＷで用いられる通信プロトコルに従って生成し、この生成した通信信号を、ネットワークＮＷを介して他の装置ＳＶ、ＳＰ、ＴＡへ送信する。ＳＵ通信ＩＦ部１４は、ネットワークＮＷを介して他の装置ＳＶ、ＳＰ、ＴＡから通信信号を受信し、この受信した通信信号からデータを取り出し、この取り出したデータをＳＵ制御処理部１０が処理可能な形式のデータに変換してＳＵ制御処理部１０へ出力する。なお、センサ装置ＳＵと集線装置ＬＳとが無線で接続される場合には、ＳＵ通信ＩＦ部１４は、ＩＥＥＥ８０２．１１規格等に従った通信インターフェース回路を備えてもよい。
【００５３】
ＳＵ通信ＩＦ部１５は、ＳＵ制御処理部１０に接続され、ＳＵ制御処理部１０の制御に従って、ナースコール装置ＮＣ、廊下灯ＳＤと通信を行うための通信回路である。ＳＵ通信ＩＦ部１５は、所定の無線通信規格に従ってナースコール装置ＮＣから送信された通信信号を受信し、この受信した通信信号からデータを取り出し、この取り出したデータをＳＵ制御処理部１０が処理可能な形式のデータに変換してＳＵ制御処理部１０へ出力する。ＳＵ通信ＩＦ部１５は、ＳＵ制御処理部１０から入力された廊下灯ＳＤに出力すべきデータを収容した通信信号を、所定の無線通信規格に従って生成し、この生成した通信信号を、廊下灯ＳＤに送信する。上記無線通信規格は、例えば、近距離の無線通信に利用されるＩＥＥＥ８０２．１５．１の規格でもよく、無線ＬＡＮの規格であるＩＥＥＥ８０２．１１の規格でもよい。
【００５４】
ＳＵ記憶部１６は、ＳＵ制御処理部１０に接続され、ＳＵ制御処理部１０の制御に従って、各種の所定のプログラムおよび各種の所定のデータを記憶する回路である。前記各種の所定のプログラムには、例えば、センサ装置ＳＵの各部を当該各部の機能に応じてそれぞれ制御するＳＵ制御プログラムや、被監視者Ｏｂに対する監視に関する所定の情報処理を実行するＳＵ監視処理プログラム等の制御処理プログラムが含まれる。
【００５５】
前記ＳＵ監視処理プログラムには、被監視者Ｏｂにおける所定の行動を検知して検知結果を前記所定のイベントの一例として管理サーバ装置ＳＶを介して所定の端末装置ＳＰ、ＴＡへ通知する行動検知処理プログラムや、ナースコール装置ＮＣからナースコールを受け付けた場合にその旨を前記所定のイベントの他の一例として管理サーバ装置ＳＶへ通知し、ＳＵ音入出力部１２等を用いることで端末装置ＳＰ、ＴＡとの間で音声通話を行うナースコール処理プログラムや、撮像部１１で生成した動画を、その動画を要求した端末装置ＳＰ、ＴＡへストリーミングで配信するＳＵストリーミング処理プログラム等が含まれる。
【００５６】
前記各種の所定のデータには、自機の、センサ装置ＳＵを特定し識別するための識別子であるセンサ装置識別子（センサＩＤ）、および、管理サーバ装置ＳＶの通信アドレス等の、各プログラムを実行する上で必要なデータ等が含まれる。ＳＵ記憶部１６は、例えば不揮発性の記憶素子であるＲＯＭ（Ｒｅａｄ  Ｏｎｌｙ  Ｍｅｍｏｒｙ）を備える。またＳＵ記憶部１６は、書き換え可能なフラッシュメモリなどのＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ハードディスク等の不揮発性メモリ１６１を備える。また、ＳＵ記憶部１６は、前記所定のプログラムの実行中に生じるデータ等を記憶するいわゆるＳＵ制御処理部１０のワーキングメモリとなるＲＡＭ（Ｒａｎｄｏｍ  Ａｃｃｅｓｓ  Ｍｅｍｏｒｙ）等を含む。
【００５７】
非常用電源１７は、停電発生時に、センサ装置ＳＵの電源となる。通常時には、センサ装置ＳＵに集線装置ＬＳから電力が供給されている。停電が発生すると、集線装置ＬＳからセンサ装置ＳＵに電力を供給することができなくなるので、非常用電源１７が用いられる。非常用電源１７は、二次電池（例えば、リチウムイオン電池）と、センサ装置ＳＵの電源を集線装置ＬＳから二次電池に切り替えるスイッチと、集線装置ＬＳからセンサ装置ＳＵに供給される電力の電圧を測定する電圧計と、この電圧が所定値以下に低下したとき、スイッチを制御して、センサ装置ＳＵの電源を集線装置ＬＳから二次電池に切り替えるスイッチ制御部と、を備える。非常用電源１７の二次電池には、通常時、集線装置ＬＳから電力が供給されて、二次電池が充電されている。
【００５８】
ＳＵ制御処理部１０は、センサ装置ＳＵの各部を当該各部の機能に応じてそれぞれ制御し、被監視者Ｏｂに関わる所定のイベントを、管理サーバ装置ＳＶへ通知するための回路である。より具体的には、本実施形態では、ＳＵ制御処理部１０は、被監視者Ｏｂにおける所定の行動を検知してその検知結果を前記所定のイベントの一例として管理サーバ装置ＳＶへ通知し、ナースコールを受け付けてそのナースコールを前記所定のイベントの他の一例として管理サーバ装置ＳＶへ通知し、端末装置ＳＰ、ＴＡとの間で音声通話を行い、動画を含む画像を生成して端末装置ＳＰ、ＴＡへ動画を配信する。
【００５９】
ＳＵ制御処理部１０は、例えば、ＣＰＵ（Ｃｅｎｔｒａｌ  Ｐｒｏｃｅｓｓｉｎｇ  Ｕｎｉｔ）およびその周辺回路を備える。ＳＵ制御処理部１０は、ＳＵ記憶部１６に記憶された前記制御処理プログラムがＣＰＵにより実行されることによって、センサ側制御部（ＳＵ制御部）１０１、行動検知処理部１０２、ナースコール処理部１０３、センサ側ストリーミング処理部（ＳＵストリーミング処理部）１０４、ドップラ信号処理部１０５、異常状態判定部１０６、記憶処理部１０７を機能的に備える。
【００６０】
ＳＵ制御部１０１は、センサ装置ＳＵの各部を当該各部の機能に応じてそれぞれ制御し、センサ装置ＳＵの全体制御を司るものである。
【００６１】
行動検知処理部１０２は、被監視者Ｏｂにおける、予め設定された所定の行動を検知して検知結果を前記所定のイベントの一例として管理サーバ装置ＳＶへ通知するものである。より具体的には、本実施形態では、前記所定の行動は、例えば、被監視者Ｏｂが起きた起床、被監視者Ｏｂが寝具から離れた離床、被監視者Ｏｂが寝具から落ちた転落、および、被監視者Ｏｂが倒れた転倒の４つの行動である。そして、行動検知処理部１０２は、例えば、撮像部１１で撮像した対象画像に基づいて被監視者Ｏｂの頭部を検出し、この検出した被監視者Ｏｂの頭部における大きさの時間変化に基づいて被監視者Ｏｂの起床、離床、転倒および転落を検知する。
【００６２】
より詳しくは、まず、寝具の所在領域、寝具の所在領域内における横臥姿勢の頭部の大きさと座位姿勢の頭部の大きさとを識別するための第１閾値Ｔｈ１、寝具の所在領域を除く部屋ＲＭ内における立位姿勢の頭部の大きさであるか否かを識別するための第２閾値Ｔｈ２、および、寝具の所在領域を除く部屋ＲＭ内における横臥姿勢の頭部の大きさであるか否かを識別するための第３閾値Ｔｈ３が前記各種の所定のデータの１つとして予めＳＵ記憶部１６に記憶される。
【００６３】
そして、行動検知処理部１０２は、対象画像から例えば背景差分法やフレーム差分法によって被監視者Ｏｂの人物の領域として動体領域を抽出し、この抽出した動体領域から、例えば円形や楕円形のハフ変換によって、また例えば予め用意された頭部のモデルを用いたパターンマッチングによって、また例えば頭部検出用に学習したニューラルネットワークによって、被監視者Ｏｂの頭部領域を抽出し、この抽出した頭部の位置および大きさから起床、離床、転倒および転落を検知する。
【００６４】
例えば、行動検知処理部１０２は、この抽出した頭部の位置が寝具の所在領域内であって、前記抽出した頭部の大きさが前記第１閾値Ｔｈ１を用いることによって横臥姿勢の大きさから座位姿勢の大きさへ時間変化した場合には、起床と判定し、前記起床を検知する。例えば、行動検知処理部１０２は、この抽出した頭部の位置が寝具の所在領域内から寝具の所在領域外へ時間変化した場合であって、前記抽出した頭部の大きさが前記第２閾値Ｔｈ２を用いることによって或る大きさから立位姿勢の大きさへ時間変化した場合には、離床と判定し、前記離床を検知する。
【００６５】
例えば、行動検知処理部１０２は、この抽出した頭部の位置が寝具の所在領域内から寝具の所在領域外へ時間変化した場合であって、前記抽出した頭部の大きさが前記第３閾値Ｔｈ３を用いることによって或る大きさから横臥姿勢の大きさへ時間変化した場合には、転落と判定し、前記転落を検知する。例えば、行動検知処理部１０２は、この抽出した頭部の位置が寝具の所在領域を除く部屋ＲＭ内であって、前記抽出した頭部の大きさが前記第３閾値Ｔｈ３を用いることによって或る大きさから横臥姿勢の大きさへ時間変化した場合には、転倒と判定し、前記転倒を検知する。
【００６６】
このように前記所定の行動を検知すると、行動検知処理部１０２は、被監視者Ｏｂに関わる所定のイベントの内容を表すイベント情報を収容した、前記イベントを通知するための第１イベント通知通信信号をＳＵ通信ＩＦ部１４で管理サーバ装置ＳＶへ通知する。より詳しくは、行動検知処理部１０２は、自機のセンサＩＤ、前記イベントの内容を表すイベント情報、前記所定の行動の検知に用いられた対象画像を収容した第１イベント通知通信信号を、ＳＵ通信ＩＦ部１４を介して管理サーバ装置ＳＶへ送信する。
【００６７】
行動検知処理部１０２は、検知した起床、離床、転落、転倒のいずれかを前記イベント情報として第１イベント通知通信信号に収容する。また、行動検知処理部１０２は、起床、離床、転落、転倒のいずれかを含むイベント情報を、ＳＵ通信ＩＦ部１５を介して、廊下灯ＳＤに送信する。
【００６８】
前記イベント情報は、本実施形態では、起床、離床、転落、転倒のいずれかと、体動停止と、ナースコールとを含む。イベント情報は被監視者Ｏｂの状態を表す。すなわち、イベント情報は、被監視者Ｏｂが起床、離床、転落、転倒との行動を起こした状態、被監視者Ｏｂが体動停止の状態、被監視者Ｏｂがナースコールを希望している状態、を表す。この体動停止及びナースコールについては後述される。
【００６９】
前記対象画像は、静止画および動画のうちの少なくとも一方であって良く、本実施形態では、後述するように、まず、静止画が報知され、ユーザの要求に応じて動画が配信される。なお、まず、動画が配信されても良く、また、静止画および動画が送信され、画面分割で静止画および動画が端末装置ＳＰ、ＴＡに表示されても良い。
【００７０】
ナースコール処理部１０３は、ナースコール装置ＮＣからナースコールを受け付けたことが送信されると、その旨を前記所定のイベントの他の一例として収容した第１イベント通知通信信号を管理サーバ装置ＳＶへ通知し、ＳＵ音入出力部１２等を用いることでセンサ装置ＳＵと端末装置ＳＰ、ＴＡとの間で音声通話を行うものである。より具体的には、ナースコール処理部１０３は、ナースコール装置ＮＣからナースコールを受け付けたことが送信されると、自機のセンサＩＤおよび前記イベント情報としてナースコールを収容した第１イベント通知通信信号を、ＳＵ通信ＩＦ部１４を介して管理サーバ装置ＳＶへ送信する。そして、ナースコール処理部１０３は、ＳＵ音入出力部１２等を用い、端末装置ＳＰ、ＴＡとの間で例えばＶｏＩＰ（Ｖｏｉｃｅ  ｏｖｅｒ  Ｉｎｔｅｒｎｅｔ  Ｐｒｏｔｏｃｏｌ）によって音声通話を行う。
【００７１】
また、ナースコール処理部１０３は、ナースコール装置ＮＣからナースコールを受け付けたことが送信されると、ナースコールを含むイベント情報を、ＳＵ通信ＩＦ部１５を介して廊下灯ＳＤに送信する。
【００７２】
ＳＵストリーミング処理部１０４は、ＳＵ通信ＩＦ部１４を介して固定端末装置ＳＰまたは携帯端末装置ＴＡから動画の配信の要求があった場合に、この要求のあった固定端末装置ＳＰまたは携帯端末装置ＴＡへ、撮像部１１で生成した動画（例えばライブの動画）をストリーミング再生でＳＵ通信ＩＦ部１４を介して配信するものである。
【００７３】
ドップラ信号処理部１０５は、ドップラセンサ１３から入力された時間空間のドップラ信号を信号処理して、被監視者Ｏｂの体動数を算出する。ドップラ信号処理部１０５は、ＳＵ通信ＩＦ部１４を介して、算出した体動数を管理サーバ装置ＳＶに送信する。ドップラ信号処理部１０５は、算出した体動数がゼロ、つまり体動停止のときに、体動停止を含むイベント情報を、ＳＵ通信ＩＦ部１５を介して廊下灯ＳＤに送信する。なお、ドップラ信号処理部１０５により算出される体動数は、呼吸数に対応する。
【００７４】
異常状態判定部１０６は、支援システムＭＳの状態が予め定められた異常状態であるか否かを判定する。異常状態とは、本実施形態では例えば、停電である。停電になると非常用電源１７の二次電池からセンサ装置ＳＵの各部に電力が供給される。そこで、異常状態判定部１０６は、非常用電源１７のスイッチの状態を検出し、スイッチが切り替えられて二次電池からセンサ装置ＳＵの各部に電力が供給されると、支援システムＭＳの状態が異常状態であると判定する。
【００７５】
行動検知処理部１０２は、異常状態判定部１０６により異常状態であると判定されると、自機のセンサＩＤ、前記イベントの内容を表すイベント情報のみを収容し、前記対象画像を収容しない第１イベント通知通信信号を、ＳＵ通信ＩＦ部１４を介して管理サーバ装置ＳＶへ送信する。停電により、非常用電源１７の二次電池からセンサ装置ＳＵの各部に電力が供給されているときは、センサ装置ＳＵの電力消費量をできるだけ少なくする必要がある。本実施形態では、停電の場合には、第１イベント通知通信信号が対象画像を収容しないため、第１イベント通知通信信号の情報量を少なくできるので、第１イベント通知通信信号を送信するのに必要な電力量を少なくすることができる。
【００７６】
記憶処理部１０７は、前記所定の行動（本実施形態では、起床、離床、転落、転倒）が行動検知処理部１０２により検知され、かつ、支援システムＭＳが異常状態（本実施形態では、停電）であると異常状態判定部１０６により判定されると、前記所定の行動の検知に用いられた対象画像を不揮発性メモリ１６１に保存する。上述のように、支援システムＭＳが異常状態であると異常状態判定部１０６により判定されると、前記対象画像は、管理サーバ装置ＳＶに送信されないので、携帯端末装置ＴＡに送信されない。しかしながら、本実施形態によれば、対象画像が不揮発性メモリ１６１に保存されるので、監視者ＮＳは、後で対象画像を確認することができる。
【００７７】
図１には、一例として、第１ないし第４センサ装置ＳＵ−１〜ＳＵ−４と、第１ないし第４ナースコール装置ＮＣ−１〜ＮＣ−４と、第１ないし第７廊下灯ＳＤ−１〜ＳＤ−７とが示されている。第１センサ装置ＳＵ−１及び第１ナースコール装置ＮＣ−１は、被監視者Ｏｂ−１の第１部屋ＲＭ−１に配設され、第２センサ装置ＳＵ−２及び第２ナースコール装置ＮＣ−２は、被監視者Ｏｂ−２の第２部屋ＲＭ−２に配設され、第３センサ装置ＳＵ−３及び第３ナースコール装置ＮＣ−３は、被監視者Ｏｂ−３の第３部屋ＲＭ−３に配設され、そして、第４センサ装置ＳＵ−４及び第４ナースコール装置ＮＣ−４は、被監視者Ｏｂ−４の第４部屋ＲＭ−４に配設されている。
【００７８】
図１には、支援システムＭＳが配設されている介護施設の建物に設けられているＬ字形状の廊下ＣＲが概略的に示されている。第１ないし第４部屋ＲＭ−１〜ＲＭ−４は、Ｌ字形状の廊下ＣＲに面して並んで配置されている。第１ないし第４廊下灯ＳＤ−１〜ＳＤ−４は、それぞれ、第１ないし第４部屋ＲＭ−１〜ＲＭ−４の廊下ＣＲに面した外壁ＯＷ−１〜ＯＷ−４に配置されている。また、第１ないし第４廊下灯ＳＤ−１〜ＳＤ−４は、Ｌ字形状の廊下ＣＲの交差部分ＣＲＸの図１中、下方側に配置され、第５ないし第７廊下灯ＳＤ−５〜ＳＤ−７は、Ｌ字形状の廊下ＣＲの交差部分ＣＲＸの図１中、左方側に配置されている。
【００７９】
管理サーバ装置ＳＶは、ネットワークＮＷを介して他の装置ＳＵ、ＴＡ、ＳＰと通信する通信機能を備え、センサ装置ＳＵから前記所定のイベントの通知を受けると、被監視者Ｏｂに対する監視に関する情報である監視情報を管理し、前記所定のイベントを所定の端末装置ＳＰ、ＴＡへ通知し、クライアント（本実施形態では端末装置ＳＰ、ＴＡ等）の要求に応じたデータを前記クライアントに提供し、支援システムＭＳ全体を管理する装置である。上記監視情報は、本実施形態では例えば前記所定のイベント（センサ装置ＳＵで検知した所定の行動の種類やナースコール装置ＮＣで受け付けたナースコール）を表すイベント情報、被監視者Ｏｂの画像（静止画および動画）、および、前記通知を受けた時刻等を含む。
【００８０】
このような管理サーバ装置ＳＶは、例えば、図３に示すように、サーバ側通信インターフェース部（ＳＶ通信ＩＦ部）２１と、サーバ側制御処理部（ＳＶ制御処理部）２２と、サーバ側記憶部（ＳＶ記憶部）２３とを備える。
【００８１】
ＳＶ通信ＩＦ部２１は、ＳＶ制御処理部２２に接続され、ＳＶ制御処理部２２の制御に従って通信を行うための通信回路である。ＳＶ通信ＩＦ部２１は、例えば、ＩＥＥＥ８０２．１１規格等に従った通信インターフェース回路を備える。
【００８２】
ＳＶ記憶部２３は、ＳＶ制御処理部２２に接続され、ＳＶ制御処理部２２の制御に従って、各種の所定のプログラムおよび各種の所定のデータを記憶する回路である。前記各種の所定のプログラムには、例えば、管理サーバ装置ＳＶの各部を当該各部の機能に応じてそれぞれ制御するＳＶ制御プログラムや、被監視者Ｏｂに対する監視に関する所定の情報処理を実行するＳＶ監視処理プログラムや、後述するケア記録情報記憶部２３７に記憶されるケア記録に関する所定の情報処理を実行するケア記録処理プログラム等の制御処理プログラムが含まれる。
【００８３】
前記各種の所定のデータには、自機の、管理サーバ装置ＳＶを特定し管理サーバ装置ＳＶを識別するためのサーバ識別子（サーバＩＤ）や、被監視者Ｏｂの前記監視情報や、前記所定のイベントの通知先等の装置ＳＵ、ＳＰ、ＴＡ間の情報を表す装置間情報や、センサ装置ＳＵに関するセンサ情報や、端末装置ＳＰ、ＴＡに関する端末情報や、実施したケアの内容をケア記録として入力するための、予め用意された所定の様式の記録書式に関する書式情報や、実施したケアの内容の記録であるケア記録情報等の各プログラムを実行する上で必要なデータ等が含まれる。
【００８４】
これら監視情報、装置間情報、センサ情報、端末情報、書式情報およびケア記録それぞれを記憶するために、ＳＶ記憶部２３は、サーバ側監視情報記憶部（ＳＶ監視情報記憶部）２３１、装置間情報記憶部２３２、サーバ側センサ情報記憶部（ＳＶセンサ情報記憶部）２３３、端末情報記憶部２３４、書式情報記憶部２３６およびケア記録情報記憶部２３７を機能的に備える。
【００８５】
ＳＶ監視情報記憶部２３１は、各装置ＳＵ、ＳＰ、ＴＡそれぞれとの間で送受信した被監視者Ｏｂの監視情報を記憶するものである。より具体的には、ＳＶ監視情報記憶部２３１には、本実施形態では、前記監視情報として、第１イベント通知通信信号および後述の対応受付通知通信信号等の通信信号に収容された各情報に基づいて、センサＩＤ、イベント情報（本実施形態では起床、離床、転落、転倒およびナースコールを表す情報）、受信時刻、対象画像（静止画および動画）および対応の受付の有無が互いに対応付けて記憶される。
【００８６】
この監視情報は、本実施形態では、テーブル形式でＳＶ監視情報記憶部２３１に記憶されている。この監視情報を登録するサーバ側監視情報テーブル（ＳＶ監視情報テーブル）ＭＴ−ＳＶは、例えば、図４に示すように、各装置ＳＵ、ＳＰ、ＴＡから受信した通信信号に収容されたセンサＩＤを登録するセンサＩＤフィールド２３１１と、前記受信した通信信号に収容されたイベント情報を登録するイベントフィールド２３１２と、前記受信した通信信号の受信時刻を登録する受信時刻フィールド２３１３と、前記受信した通信信号に収容された前記静止画を登録する静止画フィールド２３１４と、ライブ動画の取得先として、前記受信した通信信号に収容されたセンサＩＤに対応するセンサ装置ＳＵの通信アドレス（例えばＩＰアドレス等）を登録する動画フィールド２３１５と、前記受信した通信信号に収容されたイベント情報に対する対応の受付の有無を登録する対応フィールド２３１６とを備え、前記受信した通信信号ごと（各イベントごと）にレコードを備える。
【００８７】
静止画フィールド２３１４には、例えば、静止画の画像データが登録されて良く、また例えば、静止画の画像データのファイル名が登録されて良い。
【００８８】
対応フィールド２３１６には、後述するように、前記受信した通信信号に収容されたイベント情報に対して対処する意思がある旨を端末装置ＳＰ、ＴＡで受け付けたか否かを表す対応フラグが登録される。例えば、本実施形態では、対応フィールド２３１６には、前記受信した通信信号に収容されたイベント情報（イベントフィールド２３１２に登録されたイベント情報）に対処する意思がある旨を端末装置ＳＰ、ＴＡで受け付けたことを意味する対応フラグ「１」、あるいは、前記受信した通信信号に収容されたイベント情報に対処する意思がある旨を端末装置ＳＰ、ＴＡで受け付けていないことを意味する対応フラグ「０」が登録される。なお、デフォルトでは、対応フィールド２３１６には、未受付を意味する対応フラグ「０」が登録される。
【００８９】
なお、第１イベント通知通信信号に、前記所定の行動を検知した検知時刻または前記ナースコールを受け付けたナースコール受付時刻が収容されている場合には、受信時刻に代え、前記検知時刻または前記ナースコール受付時刻が登録されても良い。
【００９０】
装置間情報記憶部２３２は、前記装置間情報として、本実施形態では、センサ装置ＳＵから送信された第１イベント通知通信信号等の通知先を示す、送信元であるセンサＩＤと通知先である端末ＩＤとの対応関係である通知先対応関係、および、装置ＳＵのセンサＩＤ、装置ＳＰ、ＴＡの端末ＩＤとその通信アドレスとの対応関係である通信アドレス対応関係等を記憶するものである。端末ＩＤは、端末装置ＳＰ、ＴＡを特定し端末装置ＳＰ、ＴＡを識別するための端末識別子である。
【００９１】
これら通知先対応関係および通信アドレス対応関係は、それぞれ、本実施形態では、テーブル形式で装置間情報記憶部２３２に記憶されている。この通知先対応関係を登録する通知先対応関係情報テーブルＡＴは、例えば、図５Ａに示すように、送信元のセンサ装置ＳＵのセンサＩＤを登録する送信元フィールド２３２１と、送信元フィールド２３２１に登録されたセンサＩＤに対応するセンサ装置ＳＵから通知された通信信号を送信する送信先の端末装置ＳＰ、ＴＡの端末ＩＤを登録する通知先フィールド２３２２とを備え、センサＩＤ（つまりセンサ装置ＳＵ）ごとにレコードを備える。
【００９２】
前記通信アドレス対応関係を登録する通信アドレス対応関係情報テーブルＤＴは、例えば、図５Ｂに示すように、端末装置ＳＰ、ＴＡの端末ＩＤを登録する端末ＩＤフィールド２３２３と、端末ＩＤフィールド２３２３に登録された端末ＩＤに対応する端末装置ＳＰ、ＴＡの通信アドレスを登録する通信アドレスフィールド２３２４とを備え、端末ＩＤ（つまり端末装置ＳＰ、ＴＡ）ごとにレコードを備える。
【００９３】
なお、センサＩＤ、サーバＩＤおよび端末ＩＤそれぞれは、例えば所定の記号列から成るシリアル番号等であって良く、また例えば通信アドレスであって良い。センサＩＤ、サーバＩＤおよび端末ＩＤそれぞれが通信アドレスである場合には、通信アドレス対応関係は省略できる。
【００９４】
ＳＶセンサ情報記憶部２３３は、前記センサ情報を記憶するものである。本実施形態では、前記センサ情報は、センサ装置ＳＵに関する情報であり、センサ装置ＳＵのセンサＩＤと被監視者Ｏｂの被監視者名とを互いに対応付けた情報である。
【００９５】
このようなセンサ情報は、本実施形態では、テーブル形式でＳＶセンサ情報記憶部２３３に記憶される。より具体的には、センサ情報を登録するセンサ情報テーブルＳＴ−ＳＶは、例えば、図６に示すように、センサＩＤを登録するセンサＩＤフィールド２３３１と、前記センサＩＤフィールド２３３１に登録されているセンサＩＤを持つセンサ装置ＳＵの配設場所を登録する配設場所フィールド２３３２と、前記センサＩＤフィールド２３３１に登録されているセンサＩＤを持つセンサ装置ＳＵによって監視される被監視者Ｏｂ（すなわち、前記センサＩＤフィールド２３３１に登録されているセンサＩＤを持つセンサ装置ＳＵの配設場所に居る被監視者Ｏｂ）の被監視者名を登録する被監視者名フィールド２３３３と、前記センサＩＤフィールド２３３１に登録されているセンサＩＤを持つセンサ装置ＳＵ、その配設場所およびその被監視者Ｏｂに関する備考を登録する備考フィールド２３３４とを備え、センサＩＤ（すなわち、センサ装置ＳＵ）ごとにレコードを持つ。
【００９６】
端末情報記憶部２３４は、前記端末情報として、本実施形態では、端末装置ＳＰ、ＴＡにログインしている監視者（つまり端末装置ＳＰ、ＴＡを扱っている監視者）を示すログイン監視者情報等を記憶するものである。
【００９７】
このログイン監視者情報は、本実施形態では、テーブル形式で端末情報記憶部２３４に記憶されている。このログイン監視者情報を登録するログイン監視者情報テーブルＲＴは、例えば、図７に示すように、端末装置ＳＰ、ＴＡの端末ＩＤを登録する端末ＩＤフィールド２３４１と、前記端末ＩＤフィールド２３４１に登録されている端末ＩＤを持つ端末装置ＳＰ、ＴＡにログインしている監視者（ユーザ）の監視者名（ユーザ名）を登録する監視者名フィールド（ユーザ名フィールド）２３４２とを備え、端末装置ＳＰ、ＴＡごとにレコードを持つ。
【００９８】
書式情報記憶部２３６は、前記書式情報を記憶するものである。前記書式情報は、実施したケアの内容をケア記録として入力するための記録書式に関する情報であり、前記記録書式は、予め規定された所定の様式（フォーマット、入力フォーム）として、ケアの種類に応じて複数、予め用意されている。
【００９９】
前記ケアの種類は、看護の実務や介護の実務等のケアの実務に応じて種々であり、任意である。前記ケアの種類として、例えば、定期性を有するケアとして、日々実施される、モーニングケア（着替え、洗面および義歯装着等）、食事ケア（朝食ケア、昼食ケア、夕食ケア）、間食ケア、投薬ケア、歯磨きケア、水分補給ケア、バイタルチェック、イブニングケア（着替え、歯磨き、義歯外し、ベッド移乗等）、巡回、および、体位交換等、ならびに、曜日ごとや日にちごとに実施される、入浴ケア、リハビリ、レクリエーション、往診、身体清拭および体重測定等が挙げられ、また例えば、場所に依存するケアとして、排泄ケア等が挙げられる。
【０１００】
前記記録書式は、例えば、モーニングケア用の記録書式、食事ケア用の記録書式、間食ケア用の記録書式、投薬ケア用の記録書式、歯磨きケア用の記録書式、および、水分補給ケア用の記録書式等があり、その一例が後述の図２４に示されている。図２４には、食事ケア用の記録書式の一例が携帯端末装置ＴＡに表示される画面で示されている。前記記録書式は、例えばＨＴＬＭ（Ｈｙｐｅｒ  Ｔｅｘｔ  Ｍａｒｋｕｐ  Ｌａｎｇｕａｇｅ）やＸＭＬ（Ｅｘｔｅｎｓｉｂｌｅ  Ｍａｒｋｕｐ  Ｌａｎｇｕａｇｅ）等のマークアップ言語で記述された電子ファイルで、ケアの種類名と対応付けられて書式情報記憶部２３６に記憶される。
【０１０１】
ケア記録情報記憶部２３７は、実施したケアの内容の記録である前記ケア記録情報を記憶するものである。ケアの対象者である被監視者Ｏｂの被監視者名と、前記ケア記録の内容とが互いに対応付けられて前記ケア記録情報としてケア記録情報記憶部２３７に記憶される。
【０１０２】
ＳＶ制御処理部２２は、管理サーバ装置ＳＶの各部を当該各部の機能に応じてそれぞれ制御し、センサ装置ＳＵから前記所定のイベントの通知を受けると、被監視者Ｏｂに対する監視に関する監視情報を管理し、前記所定のイベントを所定の端末装置ＳＰ、ＴＡへ通知し、クライアントの要求に応じたデータを前記クライアントに提供し、支援システムＭＳ全体を管理するための回路である。
【０１０３】
ＳＶ制御処理部２２は、例えば、ＣＰＵおよびその周辺回路を備える。ＳＶ制御処理部２２は、ＳＶ記憶部２３に記憶された制御処理プログラムをＣＰＵが実行することによって、サーバ側制御部（ＳＶ制御部）２２１、サーバ側監視処理部（ＳＶ監視処理部）２２２、サーバ側ケア記録処理部（ＳＶケア記録処理部）２２４を機能的に備える。
【０１０４】
ＳＶ制御部２２１は、管理サーバ装置ＳＶの各部を当該各部の機能に応じてそれぞれ制御し、管理サーバ装置ＳＶの全体制御を司るものである。
【０１０５】
ＳＶ監視処理部２２２は、センサ装置ＳＵから前記所定のイベントの通知を受信すると被監視者Ｏｂに対する監視に関する監視情報を管理し、前記所定のイベントを所定の端末装置ＳＰ、ＴＡへ通知するものである。
【０１０６】
より具体的には、ＳＶ監視処理部２２２は、センサ装置ＳＵから前記第１イベント通知通信信号を受信すると、この受信した第１イベント通知通信信号に収容された、被監視者Ｏｂに対する監視に関する監視情報をＳＶ監視情報記憶部２３１に記憶する。ＳＶ監視処理部２２２は、この受信した第１イベント通知通信信号を送信したセンサ装置ＳＵに対応する通知先を、装置間情報記憶部２３２に記憶された前記通知先対応関係から選定し、この選定結果に基づいて第２イベント通知通信信号を生成し、この生成した第２イベント通知通信信号をＳＶ通信ＩＦ部２１で送信する。この通知先の端末装置ＳＰ、ＴＡの選定は、前記受信した第１イベント通知通信信号を送信したセンサ装置ＳＵに対応するセンサＩＤに基づいて実施される。
【０１０７】
前記第１イベント通知通信信号に収容されたイベント情報が前記所定の行動（起床、離床、転落および転倒のうちの１または複数）である場合には、前記第２イベント通知通信信号には、第１イベント通知通信信号に収容されたセンサＩＤ、イベント情報および対象画像、ならびに、動画のダウンロード先として、第１イベント通知通信信号に収容されたセンサＩＤを持つセンサ装置ＳＵに対応する通信アドレスが収容される。この通信アドレスは、前記受信した第１イベント通知通信信号を送信したセンサ装置ＳＵに対応するセンサＩＤに基づいて通信アドレス対応関係から選定される。
【０１０８】
前記第１イベント通知通信信号に収容されたイベント情報が前記ナースコールである場合には、前記第２イベント通知通信信号には、第１イベント通知通信信号に収容されたセンサＩＤおよびイベント情報が収容される。
【０１０９】
ＳＶケア記録処理部２２４は、ケア記録に関する所定の情報処理を実行するものである。より具体的には、本実施形態では、端末装置ＳＰ、ＴＡから後述の書式要求通信信号を受信すると、この受信した書式要求通信信号に応じた書式返信通信信号を前記端末装置ＳＰ、ＴＡへ返信する。ＳＶケア記録処理部２２４は、記録書式を用いて端末装置ＳＰ、ＴＡに入力されたケア記録情報を、端末装置ＳＰ、ＴＡから受信し、この受信したケア記録情報をケア記録情報記憶部２３７に記憶する。
【０１１０】
なお、管理サーバ装置ＳＶは、図３に破線で示すように、必要に応じて、さらに、ＳＶ制御処理部２２に接続され例えば各種コマンドや各種データ等を入力するサーバ側入力部（ＳＶ入力部）２４、ＳＶ入力部２４で入力された各種コマンドや各種データおよび被監視者Ｏｂに対する監視に関する監視情報等を出力するサーバ側出力部（ＳＶ出力部）２５、および、外部機器との間でデータの入出力を行うサーバ側インターフェース部（ＳＶＩＦ部）２６等を備えても良い。このような管理サーバ装置ＳＶは、例えば、通信機能付きのコンピュータによって構成可能である。本実施形態では、管理サーバ装置ＳＶは、中央処理装置の一例に相当する。
【０１１１】
図１に戻って、固定端末装置ＳＰは、ネットワークＮＷを介して他の装置ＳＵ、ＳＶ、ＴＡと通信する通信機能、所定の情報を表示する表示機能、および、所定の指示やデータを入力する入力機能等を備える。固定端末装置ＳＰは、図１の例ではナースステーションＳＴに配設され、管理サーバ装置ＳＶや携帯端末装置ＴＡに与える所定の指示やデータを入力したり、センサ装置ＳＵで得られた監視情報を表示したり等することによって、支援システムＭＳのユーザインターフェース（ＵＩ）として機能する。このような固定端末装置ＳＰは、例えば、通信機能付きのコンピュータによって構成可能である。なお、前記端末装置の一例としての固定端末装置ＳＰは、携帯端末装置ＴＡと同様に動作するが、本明細書では、前記端末装置の他の一例である携帯端末装置ＴＡについて説明される。
【０１１２】
携帯端末装置ＴＡは、ネットワークＮＷを介して他の装置ＳＶ、ＳＰ、ＳＵと通信する通信機能、所定の情報を表示する表示機能、所定の指示やデータを入力する入力機能、および、音声通話を行う通話機能等を備え、管理サーバ装置ＳＶやセンサ装置ＳＵに与える所定の指示やデータを入力したり、管理サーバ装置ＳＶからの通知によってセンサ装置ＳＵで得られた前記監視情報を表示したり、センサ装置ＳＵとの間で音声通話によってナースコールの応答や声かけしたり等するための機器である。
【０１１３】
このような携帯端末装置ＴＡは、本実施形態では、例えば、図８に示すように、端末側通信インターフェース部（ＴＡ通信ＩＦ部）３１と、端末側制御処理部（ＴＡ制御処理部）３２と、端末側記憶部（ＴＡ記憶部）３３と、端末側音入出力部（ＴＡ音入出力部）３４と、端末側入力部（ＴＡ入力部）３５と、端末側表示部（ＴＡ表示部）３６と、端末側インターフェース部（ＴＡＩＦ部）３７とを備える。
【０１１４】
ＴＡ音入出力部３４は、ＳＵ音入出力部１２と同様に、ＴＡ制御処理部３２に接続され、外部の音を取得して携帯端末装置ＴＡに入力するための回路であって、ＴＡ制御処理部３２の制御に従って音を表す電気信号に応じた音を生成して出力するための回路である。
【０１１５】
ＴＡ入力部３５は、ＴＡ制御処理部３２に接続され、例えば、所定の操作を受け付け、携帯端末装置ＴＡに入力する回路であり、例えば、所定の機能を割り付けられた複数の入力スイッチ等である。前記所定の操作には、例えば、ログインするためのＩＤの入力操作や、音声通話の要求操作およびその終了操作や、ライブでの動画の要求操作およびその終了操作や、前記通知されたイベントに関わる被監視者Ｏｂに対する例えば救命、看護、介護および介助等の対応を実行する意思がある旨（“対応する”）の入力操作や、所定の記録書式を用いたケア記録の入力操作等の、監視する上で必要な各種操作等が含まれる。
【０１１６】
ＴＡ表示部３６は、ＴＡ制御処理部３２に接続され、ＴＡ制御処理部３２の制御に従って、ＴＡ入力部３５から入力された所定の操作内容や、支援システムＭＳによって監視されている被監視者Ｏｂに対する監視に関する前記監視情報や、ケア記録を入力するための記録書式等を表示する回路であり、例えばＬＣＤ（液晶ディスプレイ）および有機ＥＬディスプレイ等の表示装置である。上記監視情報は、上述のように、例えば前記所定のイベント（センサ装置ＳＵで検知した所定の行動の種類やナースコール装置ＮＣで受け付けたナースコール）を表すイベント情報、被監視者Ｏｂの画像（静止画および動画）、および、前記通知を受けた時刻等を含む。
【０１１７】
そして、本実施形態では、ＴＡ入力部３５およびＴＡ表示部３６からタッチパネルが構成されている。この場合において、ＴＡ入力部３５は、例えば抵抗膜方式や静電容量方式等の操作位置を検出して入力する位置入力デバイスである。このタッチパネルでは、ＴＡ表示部３６の表示面上に位置入力デバイスが設けられ、ＴＡ表示部３６に入力可能な１または複数の入力内容の候補が表示され、例えば看護師や介護士等のユーザ（監視者）が、入力したい入力内容を表示した表示位置に触れると、位置入力デバイスによってその位置が検出され、検出された位置に表示された表示内容がユーザの操作入力内容として携帯端末装置ＴＡに入力される。
【０１１８】
ＴＡＩＦ部３７は、ＴＡ制御処理部３２に接続され、ＴＡ制御処理部３２の制御に従って、外部機器との間でデータの入出力を行う回路であり、例えば、ＩＥＥＥ８０２．１５．１規格を用いたインターフェース回路、ＩｒＤＡ規格等の赤外線通信を行うインターフェース回路、および、ＵＳＢ規格を用いたインターフェース回路等である。
【０１１９】
ＴＡ通信ＩＦ部３１は、ＴＡ制御処理部３２に接続され、ＴＡ制御処理部３２の制御に従って通信を行うための通信回路である。ＴＡ通信ＩＦ部３１は、例えば、ＩＥＥＥ８０２．１１規格等に従った通信インターフェース回路を備える。
【０１２０】
ＴＡ記憶部３３は、ＴＡ制御処理部３２に接続され、ＴＡ制御処理部３２の制御に従って、各種の所定のプログラムおよび各種の所定のデータを記憶する回路である。前記各種の所定のプログラムには、例えば、携帯端末装置ＴＡの各部を当該各部の機能に応じてそれぞれ制御するＴＡ制御プログラムや、被監視者Ｏｂに対する監視に関する所定の情報処理を実行するＴＡ監視処理プログラムや、ＴＡ音入出力部３４等を用いることでセンサ装置ＳＵとの間で音声通話を行う通話処理プログラムや、センサ装置ＳＵから動画の配信を受け、前記配信を受けた動画をストリーミング再生でＴＡ表示部３６に表示するＴＡストリーミング処理プログラムや、管理サーバ装置ＳＶから所定の記録書式を取得し、実施したケアの内容を前記取得した記録書式を用いて記録して管理サーバ装置へ送信するＴＡケア記録処理プログラム等の制御処理プログラムが含まれる。
【０１２１】
前記各種の所定のデータでは、自機の端末ＩＤ、ＴＡ表示部３６に表示される画面情報、被監視者Ｏｂの前記監視情報およびセンサ装置ＳＵに関するセンサ情報等の各プログラムを実行する上で必要なデータ等が含まれる。ＴＡ記憶部３３は、例えばＲＯＭやＥＥＰＲＯＭ等を備える。ＴＡ記憶部３３は、前記所定のプログラムの実行中に生じるデータ等を記憶するいわゆるＴＡ制御処理部３２のワーキングメモリとなるＲＡＭ等を含む。これら監視情報およびセンサ情報それぞれを記憶するために、ＴＡ記憶部３３は、端末側監視情報記憶部（ＴＡ監視情報記憶部）３３１および端末側センサ情報記憶部（ＴＡセンサ情報記憶部）３３２を機能的に備える。
【０１２２】
ＴＡ監視情報記憶部３３１は、前記監視情報を記憶するものである。本実施形態では、ＴＡ監視情報記憶部３３１は、前記監視情報として、管理サーバ装置ＳＶから受信した第２イベント通知通信信号に収容されたセンサＩＤ、イベント情報（本実施形態では起床、離床、転落、転倒およびナースコール）、画像および動画のダウンロード先のセンサ装置ＳＵの通信アドレス、ならびに、当該第２イベント通知通信信号の受信時刻および対処の有無等を互いに対応付けて記憶する。より具体的には、ＴＡ監視情報記憶部３３１は、図４に示すように、ＳＶ監視情報テーブルＭＴ−ＳＶと同様な端末側監視情報テーブル（ＴＡ監視情報テーブル）ＭＴ−ＴＡに前記監視情報を記憶する。
【０１２３】
ＴＡセンサ情報記憶部３３２は、前記センサ情報を記憶するものである。ＴＡセンサ情報記憶部３３２は、センサＩＤ、配設場所、被監視者名および備考を互いに対応付けて記憶する。より具体的には、ＴＡセンサ情報記憶部３３２は、図６に示すように、ＳＶセンサ情報テーブルＳＴ−ＳＶと同様な端末側センサ情報テーブル（ＴＡセンサ情報テーブル）ＳＴ−ＴＡに前記センサ情報を記憶する。
【０１２４】
なお、ＴＡ監視情報記憶部３３１およびＴＡセンサ情報記憶部３３２を備えずに、携帯端末装置ＴＡは、必要なときに、監視情報及びセンサ情報を管理サーバ装置ＳＶから取得するようにしてもよい。
【０１２５】
ＴＡ制御処理部３２は、携帯端末装置ＴＡの各部を当該各部の機能に応じてそれぞれ制御し、被監視者Ｏｂの前記監視情報を受けて表示し、ナースコールの応答や声かけするための回路である。ＴＡ制御処理部３２は、例えば、ＣＰＵおよびその周辺回路を備える。ＴＡ制御処理部３２は、ＴＡ記憶部３３に記憶された制御処理プログラムをＣＰＵが実行することによって、端末側制御部（ＴＡ制御部）３２１、端末側監視処理部（ＴＡ監視処理部）３２２、通話処理部３２３、端末側ストリーミング処理部（ＴＡストリーミング処理部）３２４および端末側ケア記録処理部（ＴＡケア記録処理部）３２５を機能的に備える。
【０１２６】
ＴＡ制御部３２１は、携帯端末装置ＴＡの各部を当該各部の機能に応じてそれぞれ制御し、携帯端末装置ＴＡの全体制御を司るものである。
【０１２７】
ＴＡ監視処理部３２２は、被監視者Ｏｂに対する監視に関する所定の情報処理を実行するものである。より具体的には、ＴＡ監視処理部３２２は、センサ装置ＳＵによって送信された第１イベント通知通信信号、に起因して管理サーバ装置ＳＶによって送信された第２イベント通知通信信号を受信した場合に、この受信した第２イベント通知通信信号に収容された各情報に基づき、被監視者Ｏｂの監視情報をＴＡ監視情報記憶部３３１に記憶する。
【０１２８】
ＴＡ監視処理部３２２は、この受信した第２イベント通知通信信号に収容された各情報に応じた画面をＴＡ表示部３６に表示する。そして、ＴＡ監視処理部３２２は、ＴＡ入力部３５から所定の入力操作を受け付けると、その入力操作に応じた所定の処理を実行する。
【０１２９】
通話処理部３２３は、ＴＡ音入出力部３４等を用いることでセンサ装置ＳＵとの間で音声通話を行うものである。より具体的には、例えば、通話処理部３２３は、ＴＡ音入出力部３４等を用い、第２イベント通知通信信号の送信の原因となった第１イベント通知通信信号を管理サーバ装置ＳＶへ送信した送信元のセンサ装置ＳＵとの間で例えばＶｏＩＰによって音声通話を行う。
【０１３０】
ＴＡストリーミング処理部３２４は、センサ装置ＳＵから動画の配信を受け、前記配信を受けた動画をストリーミング再生でＴＡ表示部３６に表示するものである。ＴＡケア記録処理部３２５は、管理サーバ装置ＳＶから所定の記録書式を取得し、実施したケアの内容を前記取得した記録書式を用いて記録して管理サーバ装置へ送信するものである。
【０１３１】
このような携帯端末装置ＴＡは、例えば、いわゆるタブレット型コンピュータやスマートフォンや携帯電話機等の、持ち運び可能な通信端末装置によって構成可能である。
【０１３２】
廊下灯ＳＤは、上述のように、センサ装置ＳＵと無線通信可能に接続されている。廊下灯ＳＤは、センサ装置ＳＵから送信されるイベント情報のうち、起床・離床と、転落・転倒と、体動停止と、ナースコールとを互いに区別可能に表示する。このような廊下灯ＳＤは、本実施形態では、例えば図９に示されるように、電源部４０と、廊下灯通信インターフェース部（ＳＤ通信ＩＦ部）４１と、廊下灯制御処理部（ＳＤ制御処理部）４２と、廊下灯記憶部（ＳＤ記憶部）４３と、廊下灯表示部（ＳＤ表示部）４４とを備える。
【０１３３】
ＳＤ表示部４４は、赤色発光ダイオード（ＬＥＤ）４４Ｒと、黄色ＬＥＤ４４Ｙと、緑色ＬＥＤ４４Ｇと、青色ＬＥＤ４４Ｂとを含む。ＳＤ表示部４４のＬＥＤ４４Ｒ，４４Ｙ，４４Ｇ，４４Ｂは、それぞれＳＤ制御処理部４２に接続され、通常時は消灯しており、ＳＤ制御処理部４２の制御に従って、ＬＥＤ４４Ｒ，４４Ｙ，４４Ｇ，４４Ｂのいずれかが点灯するように構成されている。
【０１３４】
ＳＤ通信ＩＦ部４１は、ＳＤ制御処理部４２に接続され、ＳＤ制御処理部４２の制御に従ってセンサ装置ＳＵと通信を行うための通信回路である。ＳＤ通信ＩＦ部４１は、例えば、ＩＥＥＥ８０２．１５．１規格等のＳＵ通信ＩＦ部１５と同じ規格に従った通信インターフェース回路を備える。
【０１３５】
ＳＤ記憶部４３は、ＳＤ制御処理部４２に接続され、各種の所定のプログラムおよび各種の所定のデータを記憶する。各種の所定のプログラムには、例えば、廊下灯ＳＤの各部を当該各部の機能に応じてそれぞれ制御するＳＤ制御プログラム等が含まれる。各種の所定のデータでは、センサ装置ＳＵから入力されるイベント情報と、ＬＥＤ４４Ｒ，４４Ｙ，４４Ｇ，４４Ｂのうち点灯するＬＥＤとの対応関係を表す点灯情報等のＳＤ制御プログラムを実行する上で必要なデータ等が含まれる。ＳＤ記憶部４３は、例えばＲＯＭやＥＥＰＲＯＭ等を備える。ＳＤ記憶部４３は、所定のプログラムの実行中に生じるデータ等を記憶するいわゆるＳＤ制御処理部４２のワーキングメモリとなるＲＡＭ等を含む。この点灯情報を記憶するために、ＳＤ記憶部４３は、点灯情報記憶部４３１を機能的に備える。
【０１３６】
点灯情報記憶部４３１は、ＬＥＤ４４Ｒ，４４Ｙ，４４Ｇ，４４Ｂのうち点灯するＬＥＤを表す点灯情報を記憶する。より具体的には、点灯情報記憶部４３１には、本実施形態では、前記点灯情報として、センサ装置ＳＵから送信されたイベント情報（本実施形態では起床、離床、転落、転倒、体動停止およびナースコール）の種別と、ＬＥＤ４４Ｒ，４４Ｙ，４４Ｇ，４４Ｂのうち点灯するＬＥＤとが互いに対応付けて記憶される。
【０１３７】
この点灯情報は、本実施形態では、テーブル形式で点灯情報記憶部４３１に記憶されている。この点灯情報を登録する点灯情報テーブル１０００は、例えば、図１０に示されるように、センサ装置ＳＵから送信されたイベント情報の種別を登録する種別フィールド１００１と、点灯させるＬＥＤを登録するＬＥＤフィールド１００２とを備える。
【０１３８】
センサ装置ＳＵから送信されるイベント情報の種別は、本実施形態では例えば、図１０に示されるように、フラグで表され、それぞれＬＥＤ４４Ｒ，４４Ｙ，４４Ｇ，４４Ｂのいずれかに対応している。具体的には、「転倒」は、フラグ「０００」で表され、赤色ＬＥＤ４４Ｒに対応し、「転落」は、フラグ「００１」で表され、赤色ＬＥＤ４４Ｒに対応し、「体動停止」は、フラグ「０１０」で表され、黄色ＬＥＤ４４Ｙに対応し、「起床」は、フラグ「０１１」で表され、緑色ＬＥＤ４４Ｇに対応し、「離床」は、フラグ「１００」で表され、緑色ＬＥＤ４４Ｇに対応し、「ナースコール」は、フラグ「１０１」で表され、青色ＬＥＤ４４Ｂに対応している。
【０１３９】
電源部４０は、電池を含み、廊下灯ＳＤの各部に電池から電力が供給されるように構成されている。なお、電源部４０は、上記非常用電源１７（図２）と同様の構成を有していてもよい。すなわち、電源部４０は、例えば、商用電源に接続されＡＣ１００Ｖを所定の直流電圧（例えば、ＤＣ５Ｖ）に変換するアダプタと、二次電池（例えば、リチウムイオン電池）と、廊下灯ＳＤの電源をアダプタから二次電池に切り替えるスイッチと、アダプタから出力される電圧を測定する電圧計と、この電圧が所定値以下に低下したとき、スイッチを制御して、廊下灯ＳＤの電源をアダプタから二次電池に切り替えるスイッチ制御部と、を備えてもよい。電源部４０の二次電池には、通常時、アダプタから電力が供給されて、二次電池が充電されていてもよい。
【０１４０】
ＳＤ制御処理部４２は、例えば、ＣＰＵおよびその周辺回路と、セレクタ４２１とを備え、廊下灯ＳＤの各部を当該各部の機能に応じてそれぞれ制御する。ＳＤ制御処理部４２は、ＳＤ記憶部４３に記憶されているＳＤ制御プログラムをＣＰＵが実行することによって、点灯制御部４２２を機能的に備える。
【０１４１】
セレクタ４２１は、点灯制御部４２２の制御下で、電源部４０と、ＬＥＤ４４Ｒ，４４Ｙ，４４Ｇ，４４Ｂとの接続を選択的に切り替えて、ＬＥＤ４４Ｒ，４４Ｙ，４４Ｇ，４４Ｂのいずれかを点灯する。セレクタ４２１は、例えばトランジスタを含む回路で構成されてもよい。
【０１４２】
点灯制御部４２２は、ＳＤ通信ＩＦ部４１を介してセンサ装置ＳＵからイベント情報を受信するまでは、セレクタ４２１を制御して、全てのＬＥＤ４４Ｒ，４４Ｙ，４４Ｇ，４４Ｂを電源部４０と接続しない状態とし、全てのＬＥＤ４４Ｒ，４４Ｙ，４４Ｇ，４４Ｂを消灯している。
【０１４３】
ＳＤ通信ＩＦ部４１を介してセンサ装置ＳＵからイベント情報を受信すると、点灯制御部４２２は、受信したイベント情報の種別を判定する。点灯制御部４２２は、判定したイベント情報の種別に対応するＬＥＤを、点灯情報記憶部４３１に記憶されている点灯情報テーブル１０００から取得する。点灯制御部４２２は、セレクタ４２１を制御して、取得したＬＥＤを点灯させる。例えば、ＳＤ通信ＩＦ部４１を介してセンサ装置ＳＵから受信したイベント情報がフラグ「０００」を含む場合には、点灯制御部４２２は、イベント情報に含まれるイベントが「転倒」であると判定し、点灯情報テーブル１０００から「赤色ＬＥＤ」を取得し、セレクタ４２１を制御して、赤色ＬＥＤ４４Ｒを点灯する。本実施形態において、ＬＥＤ４４Ｒ，４４Ｙ，４４Ｇ，４４Ｂは、表示器の一例に相当し、点灯制御部４２２は、表示制御部の一例に相当する。
【０１４４】
なお、本実施形態では、上述のように、被監視者Ｏｂの状態として、「転落」と「転倒」とは区別されておらず、同じ赤色ＬＥＤ４４Ｒが点灯され、「起床」と「離床」とは区別されておらず、同じ緑色ＬＥＤ４４Ｇが点灯されている。本実施形態では、廊下灯ＳＤは、据置型表示装置の一例に相当し、センサ装置ＳＵから送信されるイベント情報は、状態情報の一例に相当する。
【０１４５】
ナースコール装置ＮＣは、上述のように、センサ装置ＳＵと無線通信可能に接続されており、被監視者Ｏｂが監視者ＮＳを呼びたいときに用いられる装置である。このようなナースコール装置ＮＣは、本実施形態では、例えば図１１に示されるように、ナースコール通信インターフェース部（ＮＣ通信ＩＦ部）４６と、ナースコール制御処理部（ＮＣ制御処理部）４７と、ナースコール記憶部（ＮＣ記憶部）４８と、電池４９とを備える。電池４９は、ナースコール装置ＮＣの各部に電力を供給する。
【０１４６】
ＮＣ通信ＩＦ部４６は、ＮＣ制御処理部４７に接続され、ＮＣ制御処理部４７の制御に従ってセンサ装置ＳＵと通信を行うための通信回路である。ＮＣ通信ＩＦ部４６は、例えば、ＩＥＥＥ８０２．１５．１規格等のＳＵ通信ＩＦ部１５と同じ規格に従った通信インターフェース回路を備える。通信規格としてＩＥＥＥ８０２．１５．１規格が採用されている場合には、接続相手を特定するために、最初に使用される際に、センサ装置ＳＵとナースコール装置ＮＣとの間でペアリングと呼ばれる操作が行われる。
【０１４７】
ＮＣ記憶部４８は、ＮＣ制御処理部４７に接続され、各種の所定のプログラムおよび各種の所定のデータを記憶する。各種の所定のプログラムには、例えば、ナースコール装置ＮＣの各部を当該各部の機能に応じてそれぞれ制御するＮＣ制御プログラム等が含まれる。各種の所定のデータでは、ＮＣ制御プログラムを実行する上で必要なデータ等が含まれる。ＮＣ記憶部４８は、例えばＲＯＭやＥＥＰＲＯＭ等を備える。ＮＣ記憶部４８は、所定のプログラムの実行中に生じるデータ等を記憶するいわゆるＮＣ制御処理部４７のワーキングメモリとなるＲＡＭ等を含む。
【０１４８】
ＮＣ制御処理部４７は、例えば、ＣＰＵおよびその周辺回路と、ナースコールボタン４７１とを備え、ナースコール装置ＮＣの各部を当該各部の機能に応じてそれぞれ制御する。ＮＣ制御処理部４７は、ＮＣ記憶部４８に記憶されたＮＣ制御プログラムをＣＰＵが実行することによって、ナースコール制御部（ＮＣ制御部）４７２を機能的に備える。
【０１４９】
ナースコールボタン４７１は、被監視者Ｏｂにより操作されて、ナースコールを入力するためのスイッチ回路である。ナースコールボタン４７１は、例えば、押しボタン式のスイッチである。ＮＣ制御部４７２は、ナースコールボタン４７１が被監視者Ｏｂにより押されると、ＮＣ通信ＩＦ部４６により、ナースコールを示す通信信号をセンサ装置ＳＵに送信する。
【０１５０】
（動作）
図１２、図１３は、センサ装置ＳＵの動作を示すフローチャートである。図１４は、管理サーバ装置の動作を示すフローチャートである。図１５は、図１４の監視情報の処理サブルーチンを示すフローチャートである。図１６は、廊下灯ＳＤの動作を示すフローチャートである。図１７は、携帯端末装置ＴＡの動作を示すフローチャートである。図１８は、携帯端末装置ＴＡに表示される待受け画面の一例を示す図である。図１９は、携帯端末装置ＴＡに表示される監視情報画面の一例を示す図である。図２０は、携帯端末装置ＴＡに表示されるナースコール受付画面の一例を示す図である。図２１は、携帯端末装置ＴＡに表示されるサブメニュー画面の一例を示す図である。図２２は、携帯端末装置ＴＡに表示される対象者選択画面の一例を示す図である。図２３は、携帯端末装置ＴＡに表示される書式選択画面の一例を示す図である。図２４は、携帯端末装置ＴＡに表示される食事ケア用記録書式画面の一例を示す図である。
【０１５１】
上記構成の支援システムＭＳでは、各装置ＳＵ、ＳＶ、ＳＰ、ＴＡ、ＳＤ、ＮＣは、電源が投入されると、必要な各部の初期化を実行し、その稼働を始める。センサ装置ＳＵでは、その制御処理プログラムの実行によって、ＳＵ制御処理部１０には、ＳＵ制御部１０１、行動検知処理部１０２、ナースコール処理部１０３、ＳＵストリーミング処理部１０４、ドップラ信号処理部１０５、異常状態判定部１０６、記憶処理部１０７が機能的に構成される。管理サーバ装置ＳＶでは、その制御処理プログラムの実行によって、ＳＶ制御処理部２２には、ＳＶ制御部２２１、ＳＶ監視処理部２２２、ＳＶケア記録処理部２２４が機能的に構成される。
【０１５２】
携帯端末装置ＴＡでは、その制御処理プログラムの実行によって、ＴＡ制御処理部３２には、ＴＡ制御部３２１、ＴＡ監視処理部３２２、通話処理部３２３、ＴＡストリーミング処理部３２４およびＴＡケア記録処理部３２５が機能的に構成される。廊下灯ＳＤでは、ＳＤ制御プログラムの実行によって、ＳＤ制御処理部４２には、点灯制御部４２２が機能的に構成される。ナースコール装置ＮＣでは、ＮＣ制御プログラムの実行によって、ＮＣ制御処理部４７には、ＮＣ制御部４７２が機能的に構成される。
【０１５３】
まず、センサ装置ＳＵの動作が、図１２、図１３を用いて説明される。センサ装置ＳＵは、図１２、図１３に示される処理を一定時間（例えば１秒）ごとに繰り返すことによって、必要に応じて所定の情報を廊下灯ＳＤ及び管理サーバ装置ＳＶに送信する。
【０１５４】
図１２のステップＳ１２００において、ＳＵ制御部１０１は、撮像部１１から１フレーム分の撮影対象の画像である対象画像を取得する。次に、ステップＳ１２０５において、行動検知処理部１０２は、被監視者Ｏｂにおける所定の行動を検知する行動検知処理をステップＳ１２００で取得した対象画像に基づいて実行する。より具体的には、行動検知処理部１０２は、起床の成否を判定し、離床の成否を判定し、転落の成否を判定し、そして、転倒の成否を判定する。
【０１５５】
次に、ステップＳ１２１０において、行動検知処理部１０２は、ステップＳ１２０５の行動検知処理によって、被監視者Ｏｂの所定の行動（起床、離床、転倒、転落）が検知されたか否かを判定する。この判定の結果、所定の行動が検知されていない場合には（ステップＳ１２１０でＮＯ）、処理は、図１３のステップＳ１３００に進む。一方、所定の行動が検知されている場合には（ステップＳ１２１０でＹＥＳ）、処理は、ステップＳ１２１５に進む。
【０１５６】
ステップＳ１２１５において、行動検知処理部１０２は、検知された行動を表すイベント情報を生成する。例えば、起床が検知された場合には、起床を表すイベント情報が生成される。ステップＳ１２２０において、行動検知処理部１０２は、ＳＵ通信ＩＦ部１５を介して、生成したイベント情報を廊下灯ＳＤに送信する。
【０１５７】
次に、ステップＳ１２２５において、異常状態判定部１０６は、センサ装置ＳＵに非常用電源１７から電力が供給されているか否かを判定する。センサ装置ＳＵに非常用電源１７から電力が供給されていれば（ステップＳ１２２５でＹＥＳ）、異常状態判定部１０６は、停電が発生していると判定し、処理はステップＳ１２３０に進む。一方、センサ装置ＳＵに非常用電源１７から電力が供給されていなければ（ステップＳ１２２５でＮＯ）、異常状態判定部１０６は、停電が発生していないと判定し、処理はステップＳ１２４０に進む。
【０１５８】
ステップＳ１２３０において、行動検知処理部１０２は、ＳＵ通信ＩＦ部１５を介して、自機のセンサＩＤとイベント情報とを含み、ステップＳ１２００で取得した画像を含まない第１イベント通信信号を管理サーバ装置ＳＶに送信する。ステップＳ１２３５において、記憶処理部１０７は、ステップＳ１２００で取得した画像を不揮発性メモリ１６１に保存する。
【０１５９】
ステップＳ１２４０において、行動検知処理部１０２は、ＳＵ通信ＩＦ部１５を介して、自機のセンサＩＤとイベント情報とステップＳ１２００で取得した画像とを含む第１イベント通信信号を管理サーバ装置ＳＶに送信する。
【０１６０】
図１３のステップＳ１３００において、ナースコール処理部１０３は、ナースコールを受け付けているか否かを判定する。すなわち、図１２から図１３に示される処理は、一定時間（例えば１秒）ごとに繰り返し実行されるが、前回の動作におけるステップＳ１３００の実行から今回の動作におけるステップＳ１３００の実行までの間に、ナースコール装置ＮＣから送信されたナースコールを示す通信信号がＳＵ通信ＩＦ部１５により受信されたか否かを、ナースコール処理部１０３が判定する。
【０１６１】
この判定の結果、ナースコールを受け付けていない場合には（ステップＳ１３００でＮＯ）、処理はステップＳ１３２０に進む。一方、ナースコールを受け付けている場合には（ステップＳ１３００でＹＥＳ）、処理はステップＳ１３０５に進む。
【０１６２】
ステップＳ１３０５において、ナースコール処理部１０３は、ナースコールを表すイベント情報を生成する。ステップＳ１３１０において、ナースコール処理部１０３は、ＳＵ通信ＩＦ部１５を介して、生成したイベント情報を廊下灯ＳＤに送信する。ステップＳ１３１５において、ナースコール処理部１０３は、ＳＵ通信ＩＦ部１４を介して、自機のセンサＩＤとイベント情報とを含む第１イベント通知通信信号を管理サーバ装置ＳＶに送信する。
【０１６３】
ステップＳ１３２０において、ドップラ信号処理部１０５は、ドップラセンサ１３から出力されるドップラ信号を取得する。ステップＳ１３２５において、ドップラ信号処理部１０５は、信号処理を行って、体動数を判定する。ステップＳ１３３０において、ドップラ信号処理部１０５は、判定した体動数から、体動停止か否かを判定する。体動停止と判定されると（ステップＳ１３３０でＹＥＳ）、処理はステップＳ１３３５に進む。一方、体動停止でないと判定されると（ステップＳ１３３０でＮＯ）、図１２から図１３に示される処理を終了する。
【０１６４】
ステップＳ１３３５において、ドップラ信号処理部１０５は、体動停止を表すイベント情報を生成する。ステップＳ１３４０において、ドップラ信号処理部１０５は、ＳＵ通信ＩＦ部１５を介して、生成したイベント情報を廊下灯ＳＤに送信する。ステップＳ１３４５において、ドップラ信号処理部１０５は、ＳＵ通信ＩＦ部１４を介して、自機のセンサＩＤとイベント情報とを含む第１イベント通知通信信号を管理サーバ装置ＳＶに送信して、図１２から図１３に示される処理を終了する。
【０１６５】
次に、管理サーバ装置ＳＶの動作が、図１４を用いて説明される。管理サーバ装置ＳＶは、図１４に示される処理を一定時間（例えば１秒）ごとに繰り返している。図１４のステップＳ１４００において、管理サーバ装置ＳＶのＳＶ制御部２２１は、ＳＶ通信ＩＦ部２１で通信信号を受信したか否かを判定する。この判定の結果、通信信号を受信していない場合には（ステップＳ１４００でＮＯ）、図１４の処理は終了する。一方、通信信号を受信している場合には（ステップＳ１４００でＹＥＳ）、処理はステップＳ１４０５に進む。すなわち、管理サーバ装置ＳＶは、図１４の動作によって、通信信号の受信を待ち受けている。
【０１６６】
ステップＳ１４０５において、ＳＶ制御部２２１は、ステップＳ１４００で受信した通信信号の種類を判定する。この判定の結果、受信した通信信号が第１イベント通知通信信号である場合には（ステップＳ１４０５で「第１イベント通知」）、処理はステップＳ１４１０に進む。受信した通信信号が書式要求通信信号である場合には（ステップＳ１４０５で「書式要求」）、処理はステップＳ１４１５に進む。受信した通信信号がケア記録通知通信信号である場合には（ステップＳ１４０５で「ケア記録通知」）、処理はステップＳ１４２０に進む。受信した通信信号がこれら第１イベント通知通信信号、書式要求通信信号およびケア記録通知通信信号ではない場合には（ステップＳ１４０５で「その他」）、処理はステップＳ１４２５に進む。
【０１６７】
ステップＳ１４１０において、ＳＶ監視処理部２２２は、ステップＳ１４００でセンサ装置ＳＵから受信した第１イベント通知通信信号を処理する監視情報の処理を実行する。具体的には、図１５のステップＳ１５００において、ＳＶ監視処理部２２２は、ステップＳ１４００でセンサ装置ＳＵから受信した第１イベント通知通信信号に収容された、被監視者Ｏｂに対する監視に関する監視情報をＳＶ監視情報記憶部２３１に記憶する。
【０１６８】
次に、ステップＳ１５０５において、ＳＶ監視処理部２２２は、ステップＳ１４００で受信した第１イベント通知通信信号を送信したセンサ装置ＳＵに対応する通知先を、装置間情報記憶部２３２に記憶された通知先対応関係から取得する。具体的には、ＳＶ監視処理部２２２は、装置間情報記憶部２３２に記憶された通知先対応関係情報テーブルＡＴ（図５Ａ）の送信元フィールド２３２１に、ステップＳ１４００で受信した第１イベント通知通信信号を送信したセンサ装置ＳＵのセンサＩＤ（この第１イベント通知通信信号に収容されたセンサＩＤ）を登録するレコードを選定し、この選定したレコードの通知先フィールド２３２２に登録された端末ＩＤを取り出す。この取り出された端末ＩＤの端末装置ＳＰ、ＴＡが、前記通知先であり、この取り出された端末ＩＤに対応する通信アドレスが、装置間情報記憶部２３２に記憶された通信アドレス対応関係情報テーブルＤＴ（図５Ｂ）から取り出される。
【０１６９】
次に、ステップＳ１５１０において、ＳＶ監視処理部２２２は、これらに基づいて第２イベント通知通信信号を生成し、この生成した第２イベント通知通信信号をＳＶ通信ＩＦ部２１で送信する。具体的には、ＳＶ監視処理部２２２は、取り出された端末ＩＤの端末装置ＳＰ、ＴＡを通知先とした第２イベント通知通信信号を生成する。第１イベント通知通信信号に収容されたイベント情報が所定の行動（起床、離床、転落および転倒のうちの１または複数）を表す情報である場合には、第２イベント通知通信信号には、第１イベント通知通信信号に収容されたセンサＩＤ、イベント情報および対象画像、ならびに、動画のダウンロード先として、第１イベント通知通信信号に収容されたセンサＩＤを持つセンサ装置ＳＵに対応する通信アドレスが収容される。
【０１７０】
第１イベント通知通信信号に収容されたイベント情報がナースコールを表す場合には、第２イベント通知通信信号には、第１イベント通知通信信号に収容されたセンサＩＤおよびイベント情報が収容される。なお、ナースコールを受け付けた場合の対象画像が第２イベント通知通信信号に収容されても良い。
【０１７１】
そして、ＳＶ監視処理部２２２は、このように生成した第２イベント通知通信信号をＳＶ通信ＩＦ部２１で送信し、図１５に示される処理を終了する。以上のようにして、管理サーバ装置ＳＶのＳＶ監視処理部２２２は、ステップＳ１４１０（図１４）において監視情報の処理を実行した後、図１４の処理を終了する。
【０１７２】
図１４のステップＳ１４１５において、ＳＶケア記録処理部２２４は、ステップＳ１４００で端末装置ＳＰ、ＴＡから受信した書式要求通信信号を処理する書式返信の処理を実行する。具体的には、前記書式要求通信信号を受信すると、ＳＶケア記録処理部２２４は、ステップＳ１４００で受信した書式要求通信信号に収容された記録書式名に対応する記録書式の電子ファイルを書式情報記憶部２３６から取り出す。ＳＶケア記録処理部２２４は、この取り出した記録書式の電子ファイル、ならびに、ステップＳ１４００で受信した書式要求通信信号に収容された端末ＩＤおよび記録書式名を収容する通信信号（書式返信通信信号）を、ステップＳ１４００で受信した書式要求通信信号の送信元の端末装置ＳＰ、ＴＡへ返信し、図１４の処理を終了する。
【０１７３】
ステップＳ１４２０において、ＳＶケア記録処理部２２４は、ステップＳ１４００で端末装置ＳＰ、ＴＡから受信したケア記録通知通信信号を処理するケア記録の処理を実行する。具体的には、ＳＶケア記録処理部２２４は、ステップＳ１４００で端末装置ＳＰ、ＴＡから受信したケア記録通知通信信号に収容された、ケアを実施した対象者名（被監視者名）とケア記録の内容（後述の例では主食の摂取量、副食の摂取量、メモ、ケア実施時刻および共有化の許否）とを互いに対応付けてケア記録情報記憶部２３７に記憶する。その後、図１４の処理を終了する。
【０１７４】
ステップＳ１４２５において、ＳＶ制御処理部２２は、ステップＳ１４００で受信した通信信号に応じた適宜な処理を実行し、図１４の処理を終了する。各装置ＳＵ、ＳＰ、ＴＡから受信した通信信号に関し、管理サーバ装置ＳＶは、以上のように動作している。
【０１７５】
次に、廊下灯ＳＤの動作が、図１６を用いて説明される。廊下灯ＳＤは、図１６に示される処理を一定時間（例えば１秒）ごとに繰り返している。図１６のステップＳ１６００において、廊下灯ＳＤの点灯制御部４２２は、ＳＤ通信ＩＦ部４１で通信信号を受信したか否かを判定する。この判定の結果、通信信号を受信していない場合には（ステップＳ１６００でＮＯ）、図１６の処理は終了する。一方、通信信号を受信している場合には（ステップＳ１６００でＹＥＳ）、処理はステップＳ１６０５に進む。すなわち、廊下灯ＳＤは、図１６の動作によって、通信信号の受信を待ち受けている。
【０１７６】
ステップＳ１６０５において、点灯制御部４２２は、ステップＳ１６００で受信した通信信号に含まれるイベント情報の種別が「転倒」又は「転落」（つまりフラグ「０００」又は「００１」）であるか否かを判定する。イベント情報の種別が「転倒」又は「転落」であれば（ステップＳ１６０５でＹＥＳ）、処理はステップＳ１６１０に進む。ステップＳ１６１０において、点灯制御部４２２は、赤色ＬＥＤ４４Ｒを点灯して、図１６の処理は終了する。
【０１７７】
一方、イベント情報の種別が「転倒」でも「転落」でもなければ（ステップＳ１６０５でＮＯ）、処理はステップＳ１６１５に進む。ステップＳ１６１５において、点灯制御部４２２は、ステップＳ１６００で受信した通信信号に含まれるイベント情報の種別が「体動停止」（つまりフラグ「０１０」）であるか否かを判定する。イベント情報の種別が「体動停止」であれば（ステップＳ１６１５でＹＥＳ）、処理はステップＳ１６２０に進む。ステップＳ１６２０において、点灯制御部４２２は、黄色ＬＥＤ４４Ｙを点灯して、図１６の処理は終了する。
【０１７８】
一方、イベント情報の種別が「体動停止」でなければ（ステップＳ１６１５でＮＯ）、処理はステップＳ１６２５に進む。ステップＳ１６２５において、点灯制御部４２２は、ステップＳ１６００で受信した通信信号に含まれるイベント情報の種別が「起床」又は「離床」（つまりフラグ「０１１」又は「１００」）であるか否かを判定する。イベント情報の種別が「起床」又は「離床」であれば（ステップＳ１６２５でＹＥＳ）、処理はステップＳ１６３０に進む。ステップＳ１６３０において、点灯制御部４２２は、緑色ＬＥＤ４４Ｇを点灯して、図１６の処理は終了する。
【０１７９】
一方、イベント情報の種別が「起床」でも「離床」でもなければ（ステップＳ１６２５でＮＯ）、処理はステップＳ１６３５に進む。ステップＳ１６３５において、点灯制御部４２２は、ステップＳ１６００で受信した通信信号に含まれるイベント情報の種別が「ナースコール」（つまりフラグ「１０１」）であるか否かを判定する。イベント情報の種別が「ナースコール」であれば（ステップＳ１６３５でＹＥＳ）、処理はステップＳ１６４０に進む。ステップＳ１６４０において、点灯制御部４２２は、青色ＬＥＤ４４Ｂを点灯して、図１６の処理は終了する。
【０１８０】
一方、イベント情報の種別が「ナースコール」でなければ（ステップＳ１６３５でＮＯ）、処理はステップＳ１６４５に進む。ステップＳ１６４５では、イベント情報の種別が予め定められた６種類のいずれでもないことになるため、点灯制御部４２２は、所定のエラー処理を行って、図１６の処理を終了する。
【０１８１】
次に、端末装置ＳＰ、ＴＡの動作が図１７〜図２４を用いて説明される。ここでは、代表的に、携帯端末装置ＴＡの動作が説明される。上述したように、電源が投入され、その稼働を始めると、携帯端末装置ＴＡでは、例えば看護師や介護士等の監視者（ユーザ）によるログイン操作が受け付けられ、ＴＡ監視処理部３２２によって、自機宛の通信信号を待ち受ける待受け画面５１がＴＡ表示部３６に表示される。
【０１８２】
この待受け画面５１は、例えば、図１８に示すように、メニューバーを表示するメニューバー領域５１１と、待ち受け中であることを表すメッセージ（例えば「通知はありません」）およびアイコンを表示する待受けメイン領域５１２と、現在時刻を表示する時刻領域５１３と、今日の年月日曜日を表示する年月日曜日領域５１４と、今、当該携帯端末装置ＴＡにログインしているユーザ名を表示するユーザ名領域５１５とを備える。ログイン操作を受け付けると、携帯端末装置ＴＡのＴＡ監視処理部３２２は、ＴＡ通信ＩＦ部３１によって、自機の端末ＩＤおよび自機にログインした監視者（ユーザ）の氏名を収容した通信信号であるログイン通知通信信号を管理サーバ装置ＳＶへ送信する。
【０１８３】
このログイン通知通信信号を受信すると、上述のステップＳ１４２５（図１４）の一例として、管理サーバ装置ＳＶのＳＶ監視処理部２２２は、この受信したログイン通知通信信号に収容された端末ＩＤと監視者の氏名を含む監視者情報とを互いに対応付けて端末情報記憶部２３４に記憶する。具体的には、ＳＶ監視処理部２２２は、端末情報記憶部２３４に記憶されたログイン監視者情報テーブルＲＴ（図７）の端末ＩＤフィールド２３４１に、受信したログイン通知通信信号に収容された端末ＩＤを登録するレコードを選定し、この選定したレコードの監視者名フィールド２３４２に、受信したログイン通知通信信号に収容された監視者の氏名を登録する。
【０１８４】
なお、端末情報記憶部２３４に記憶されたログイン監視者情報テーブルＲＴの端末ＩＤフィールド２３４１に、受信したログイン通知通信信号に収容された端末ＩＤを登録するレコードが無い場合には、ＳＶ監視処理部２２２は、端末情報記憶部２３４に記憶されたログイン監視者情報テーブルＲＴに新たなレコードを追加し、この追加したレコードにおける端末ＩＤフィールド２３４１および監視者名フィールド２３４２それぞれに、受信したログイン通知通信信号に収容された端末ＩＤおよび監視者の氏名それぞれを登録する。
【０１８５】
待受け画面５１がＴＡ表示部３６に表示された状態で、携帯端末装置ＴＡは、図１７に示される処理を一定時間（例えば１秒）ごとに繰り返している。ステップＳ１７００において、ＴＡ制御部３２１は、ＴＡ通信ＩＦ部３１で通信信号を受信したか否かを判定する。この判定の結果、通信信号を受信していない場合には（ステップＳ１７００でＮＯ）、図１７の処理は終了する。すなわち、携帯端末装置ＴＡは、図１７の動作によって、通信信号の受信を待ち受けている。
【０１８６】
一方、通信信号を受信している場合には（ステップＳ１７００でＹＥＳ）、処理はステップＳ１７０５に進む。ステップＳ１７０５において、ＴＡ制御部３２１は、この受信した通信信号の種類を判定する。この判定の結果、ステップＳ１７００で受信した通信信号が第２イベント通知通信信号である場合には（ステップＳ１７０５で「第２イベント通知」）、処理はステップＳ１７１０に進む。
【０１８７】
一方、ステップＳ１７００で受信した通信信号が第２イベント通知通信信号ではない場合には（ステップＳ１７０５で「その他」）、処理はステップＳ１７３０に進む。ステップＳ１７３０において、ＴＡ制御部３２１は、ステップＳ１７００で受信した通信信号に応じた適宜な処理を行う。その後、図１７の処理は終了する。
【０１８８】
ステップＳ１７１０において、ＴＡ監視処理部３２２は、ステップＳ１７００で管理サーバ装置ＳＶから受信した第２イベント通知通信信号に収容された、被監視者Ｏｂに対する監視に関する監視情報をＴＡ監視情報記憶部３３１に記憶する。
【０１８９】
ステップＳ１７１５において、ＴＡ監視処理部３２２は、ステップＳ１７００で受信した第２イベント通知通信信号に収容された各情報に応じた画面をＴＡ表示部３６に表示する。具体的には、ＴＡ監視処理部３２２は、ステップＳ１７００で受信した第２イベント通知通信信号に収容されたイベント情報が所定の行動を表す場合には、例えば図１９に示す監視情報画面５２をＴＡ表示部３６に表示する。一方、ＴＡ監視処理部３２２は、ステップＳ１７００で受信した第２イベント通知通信信号に収容されたイベント情報がナースコールを表す場合には、例えば図２０に示すナースコール受付画面５３をＴＡ表示部３６に表示する。
【０１９０】
この監視情報画面５２は、被監視者Ｏｂの監視に関する監視情報を表示するための画面である。監視情報画面５２は、例えば、図１９に示すように、メニューバー領域５１１と、受信した第２イベント通知通信信号に収容されたセンサＩＤを持つセンサ装置ＳＵの配設場所と、このセンサＩＤを持つセンサ装置ＳＵによって監視される被監視者Ｏｂの名前とを表示する被監視者名領域５２１と、受信した第２イベント通知通信信号の受信時刻（または所定の行動の検知時刻）からの経過時間、および、受信した第２イベント通知通信信号に収容されたイベント情報（所定の行動の検知結果）を表示する検知情報表示領域５２２と、受信した第２イベント通知通信信号に収容された画像（すなわち、前記センサＩＤを持つ前記センサ装置ＳＵによって撮像された対象画像、図１９では静止画）を表示する画像領域５２３と、「対応する」ボタン５２４と、「話す」ボタン５２５と、「ＬＩＶＥを見る」ボタン５２６とを備える。
【０１９１】
被監視者名領域５２１にセンサ装置ＳＵの配設場所および被監視者Ｏｂの名前を表示するために、前記受信した第２イベント通知通信信号に収容されたセンサＩＤを検索キーに、センサ装置ＳＵの配設場所および被監視者Ｏｂの名前がＴＡセンサ情報記憶部３３２から検索され、表示される。検知情報表示領域５２２には、前記受信した第２イベント通知通信信号に収容された前記検知結果（本実施形態では、起床、離床、転落および転倒の各名称）がそのまま表示されても良いが、本実施形態では、前記検知結果を象徴的に表すアイコンで表示されている。このアイコンで表示するために、ＴＡ記憶部３３には、各行動およびその行動を象徴的に表すアイコンが互いに対応付けられて予め記憶される。図１９に示す例では、検知情報表示領域５２２には、起床を象徴的に表す起床アイコンが表示されている。
【０１９２】
「対応する」ボタン５２４は、監視情報画面５２では、この監視情報画面５２に表示された検知結果に対し例えば救命、看護、介護および介助等の所定の対応を実施する意思が当該携帯端末装置ＴＡのユーザにある旨を表す実施意思情報を、当該携帯端末装置ＴＡに入力するためのボタンである。「話す」ボタン５２５は、音声通話を要求するためのボタンであって、前記センサＩＤの前記センサ装置ＳＵと当該携帯端末装置ＴＡとをネットワークＮＷを介して通話可能に接続する指示を入力するためのボタンである。「ＬＩＶＥを見る」ボタン５２６は、ライブでの動画を要求するためのボタンであって、前記センサＩＤの前記センサ装置ＳＵによって撮像される動画を表示させる指示を入力するためのボタンである。
【０１９３】
ナースコール受付画面５３は、ナースコールの受付を表示するための画面である。このナースコール受付画面５３は、例えば、図２０に示すように、メニューバー領域５１１と、被監視者名領域５２１と、検知情報表示領域５２２と、ナースコールを受け付けた旨を表すメッセージ（例えば「ナースコールです」）を表示するナースコール受付通知表示領域５３１と、「対応する」ボタン５２４と、「話す」ボタン５２５とを備える。このナースコール受付画面５３では、検知情報表示領域５２２には、受信した第２イベント通知通信信号の受信時刻（またはナースコールを受け付けた受付時刻）からの経過時間のみが表示される。なお、ナースコール受付画面５３は、「ＬＩＶＥを見る」ボタン５２６をさらに備えても良い。
【０１９４】
ステップＳ１７２０において、携帯端末装置ＴＡのＴＡ制御処理部３２は、ＴＡ入力部３５およびＴＡ表示部３６を備えて成るタッチパネルで入力操作を受け付けたか否かを判定する。この判定の結果、入力操作を受け付けていない場合には（ステップＳ１７２０でＮＯ）、図１７の処理は終了する。一方、判定の結果、入力操作を受け付けている場合には（ステップＳ１７２０でＹＥＳ）、ＴＡ制御処理部３２は、入力操作の内容に応じた適宜な処理を実行して（ステップＳ１７２５）、図１７の処理を終了する。
【０１９５】
例えば、ＴＡ制御処理部３２は、前記タッチパネルを構成するＴＡ入力部３５から「対応する」ボタン５２４の入力操作を受け付けると（ステップＳ１７２０でＹＥＳ）、ステップＳ１７２５において、現在、ＴＡ表示部３６に表示している被監視者Ｏｂの監視情報に、「対応する」を受け付けた旨を付してＴＡ監視情報記憶部３３１に記憶する。より具体的には、ＴＡ制御処理部３２は、ＴＡ監視情報記憶部３３１に記憶されているＴＡ監視情報テーブルＭＴ−ＴＡ（図４）において、現在、ＴＡ表示部３６に表示している被監視者Ｏｂの監視情報を登録しているレコード（ここでは前記受信した第２イベント通知通信信号に収容されていた監視情報を登録したレコード）の対応フィールド３３１６に、対応の受付を表す対応フラグ「１」を登録する。
【０１９６】
そして、ＴＡ制御処理部３２は、ＴＡ表示部３６に表示している被監視者Ｏｂの監視情報に対応するセンサＩＤおよび「対応する」を受け付けた旨を表す情報である対応受付情報を収容した通信信号である対応受付通知通信信号を管理サーバ装置ＳＶへ送信する。
【０１９７】
この対応受付通知通信信号を受信すると、管理サーバ装置ＳＶのＳＶ制御処理部２２は、上述のステップＳ１４２５（図１４）の他の一例として、ＳＶ監視情報記憶部２３１に記憶されているＳＶ監視情報テーブルＭＴ−ＳＶ（図４）において、この受信した対応受付通知通信信号に収容されたセンサＩＤを、センサＩＤフィールド２３１１に登録しているレコードであって、対応の未受付を表す対応フラグ「０」が登録されている前記レコードの対応フィールド２３１６に、対応の受付を表す対応フラグ「１」を登録し、前記受信した対応受付通知通信信号に収容されたセンサＩＤおよび対応受付情報を収容した通信信号である対応受付周知通信信号を同報通信で端末装置ＳＰ、ＴＡへ送信する。これによって、ＴＡ表示部３６に表示している被監視者Ｏｂの監視情報に対応するセンサＩＤに関し、「対応する」を受け付けた旨が各端末装置ＳＰ、ＴＡ間で同期される。
【０１９８】
また、例えば、携帯端末装置ＴＡのＴＡ制御処理部３２が、「話す」ボタン５２５の入力操作を受け付けると（ステップＳ１７２０でＹＥＳ）、ステップＳ１７２５において、通話処理部３２３は、ＴＡ表示部３６に表示している被監視者Ｏｂを監視するセンサ装置ＳＵへ、音声通話を要求する旨等の情報を収容した通信信号である通話要求通信信号を送信し、これに応じたセンサ装置ＳＵとネットワークＮＷを介して音声通話可能に接続する。これによって携帯端末装置ＴＡとセンサ装置ＳＵとの間で音声通話が可能となる。
【０１９９】
なお、携帯端末装置ＴＡのＴＡ制御処理部３２が、音声通話の終了の指示を入力するためのボタンである図略の「終了」ボタンの入力操作を受け付けると（ステップＳ１７２０でＹＥＳ）、ステップＳ１７２５において、通話処理部３２３は、ＴＡ表示部３６に表示している被監視者Ｏｂを監視するセンサ装置ＳＵへ、音声通話の終了を要求する旨等の情報を収容した通信信号である通話終了通信信号を送信する。これによって携帯端末装置ＴＡとセンサ装置ＳＵとの間での音声通話が終了される。
【０２００】
また例えば、携帯端末装置ＴＡのＴＡ制御処理部３２が、「ＬＩＶＥを見る」ボタン５２６の入力操作を受け付けると（ステップＳ１７２０でＹＥＳ）、ステップＳ１７２５において、ＴＡストリーミング処理部３２４は、現在、ＴＡ表示部３６に表示している被監視者Ｏｂを監視するセンサ装置ＳＵへ、ライブでの動画の配信を要求する旨等の情報を収容した通信信号である動画配信要求通信信号を送信し、これに応じたセンサ装置ＳＵとネットワークＮＷを介して動画のダウンロード可能に接続し、前記センサ装置ＳＵからライブでの動画の配信を受け、この配信を受けた動画をストリーミング再生でＴＡ表示部３６に表示する。
【０２０１】
このライブでの動画を表示する監視情報画面５２では、画像領域５２３に動画が表示され、そして、「ＬＩＶＥを見る」ボタン５２６に代え図略の「ＬＩＶＥ終了」ボタンが表示される。これによって携帯端末装置ＴＡには、ライブでの動画が表示される。前記図略の「ＬＩＶＥ終了」ボタンは、動画の終了を要求するためのボタンであって、前記センサＩＤの前記センサ装置ＳＵによって撮像される動画の配信を終了させ表示を終了させる指示を入力するためのボタンである。
【０２０２】
携帯端末装置ＴＡのＴＡ制御処理部３２が、「ＬＩＶＥ終了」ボタンの入力操作を受け付けると（ステップＳ１７２０でＹＥＳ）、ステップＳ１７２５において、ＴＡストリーミング処理部３２４は、現在、ＴＡ表示部３６に表示している被監視者Ｏｂを監視するセンサ装置ＳＵへ、動画配信の終了を要求する旨等の情報を収容した通信信号である動画配信終了通信信号を送信し、静止画をＴＡ表示部３６に表示する。これによって携帯端末装置ＴＡは、ライブでの動画の表示を終了する。
【０２０３】
管理サーバ装置ＳＶから受信した第２イベント通知通信信号に関し、携帯端末装置ＴＡは、以上のように動作している。
【０２０４】
次に、ケア記録の動作について説明する。携帯端末装置ＴＡの前記タッチパネルを構成するＴＡ入力部３５から、待受け画面５１、監視情報画面５２およびナースコール受付画面５３等におけるメニューバー領域５１１のサブメニューボタン５１１１の入力操作を受け付けると、ＴＡ制御処理部３２は、例えば図２１に示すサブメニュー画面６１をＴＡ表示部３６に表示する。サブメニューボタン５１１１は、サブメニュー画面６１を表示する指示を、当該携帯端末装置ＴＡに入力するためのボタンである。
【０２０５】
サブメニュー画面６１は、選択可能なサブメニューを表示し、サブメニューを選択するための画面である。サブメニュー画面６１は、例えば図２１に示すように、サブメニューとして、「情報」ボタン６１１と、「スタッフ伝言板」ボタン６１２と、「ケア実施入力」ボタン６１３と、「ログアウト」ボタン６１４とを備える。
【０２０６】
「情報」ボタン６１１は、例えばログイン名（介護士名）、端末ＩＤ等の所定の情報を表示する指示を、当該携帯端末装置ＴＡに入力するためのボタンである。「スタッフ伝言板」ボタン６１２は、端末装置ＳＰ、ＴＡから監視者（ユーザ）によって管理サーバ装置ＳＶに記録された伝言を表示する指示を、当該携帯端末装置ＴＡに入力するためのボタンである。「ケア実施入力」ボタン６１３は、端末装置ＳＰ、ＴＡから監視者によってケア記録を管理サーバ装置ＳＶに記録する指示を、当該携帯端末装置ＴＡに入力するためのボタンである。「ログアウト」ボタン６１４は、ログアウトする指示を、当該携帯端末装置ＴＡに入力するためのボタンである。
【０２０７】
次に、携帯端末装置ＴＡのＴＡ制御処理部３２は、前記タッチパネルを構成するＴＡ入力部３５から、入力操作を受け付けたか否かを判定し、入力操作を受け付けると、携帯端末装置ＴＡは、前記タッチパネルを構成するＴＡ入力部３５で受け付けた入力操作の種類を判定する。
【０２０８】
この判定の結果、前記受け付けた入力操作が「ケア実施入力」ボタン６１３ではない場合には、携帯端末装置ＴＡは、前記で受け付けた入力操作に応じた適宜な処理を実行した後に、前記受け付けたサブメニューボタン５１１１を表示していた画面（待受け画面５１、監視情報画面５２およびナースコール受付画面５３等）をＴＡ表示部３６に表示して本処理を終了する。
【０２０９】
上記判定の結果、前記受け付けた入力操作が「ケア実施入力」ボタン６１３である場合には、携帯端末装置ＴＡのＴＡケア記録処理部３２５は、例えば図２２に示す対象者選択画面６２をＴＡ表示部３６に表示する。この対象者選択画面６２は、選択可能な対象者を表示し、ケアを施した、ケア記録の対象者を選択するための画面である。
【０２１０】
対象者選択画面６２は、例えば、図２２に示すように、メニューバー領域５１１と、サブメニュー画面６１で選択されたサブメニュー名を表示するサブメニュー名表示領域６２１と、選択可能な１または複数の対象者を一覧で表示する対象者表示領域６２２（６２２−１〜６２２−５）とを備える。
【０２１１】
サブメニュー名表示領域６２１には、図２２の例では、前記受け付けた「ケア実施入力」ボタン６１３に対応するサブメニューのサブメニュー名；「ケア実施入力」が表示される。対象者表示領域６２２に、選択可能な対象者を一覧で表示するために、ＴＡセンサ情報記憶部３３２に記憶されたＴＡセンサ情報テーブルＳＴ−ＴＡにおける被監視者名フィールド３３２３および配設場所フィールド３３２２に登録されている被監視者名および配設場所が各レコードから取り出され、配設場所および被監視者名がセット（組）で、対象者表示領域６２２に、ＴＡ表示部３６を正面視した場合に上から下へ順に所定の基準でソートされて一覧表示で表示される。ソートの基準は、任意であり、例えば、被監視者名の５０音順（アルファベット順）や、配設場所の部屋番号順等である。図２２に示す例では、配設場所および被監視者名の各セットは、配設場所の部屋番号順でソートされている。
【０２１２】
なお、ＴＡ表示部３６の表示領域より、対象者表示領域６２２が広く、配設場所および被監視者名の各セットが全てＴＡ表示部３６の表示領域に表示できない場合には、例えばフリック（ｆｌｉｃｋ  ｉｎｐｕｔ）によってＴＡ表示部３６の表示領域に表示される対象者表示領域６２２の領域部分が変更され、ＴＡ表示部３６の表示領域に表示されていない配設場所および被監視者名のセットが表示できるようになっている。そして、この配設場所および被監視者名の各セットを表示する個々の領域６２２−１〜６２２−５は、監視者（携帯端末装置ＴＡのユーザ）によって選択された対象者を、当該携帯端末装置ＴＡに入力するためのボタンである対象者選択ボタンでもある。
【０２１３】
このような対象者選択画面６２の表示中に、携帯端末装置ＴＡの前記タッチパネルを構成するＴＡ入力部３５から、配設場所および被監視者名のセットを表示する領域（対象者選択ボタン）６２２の入力操作を受け付けて対象者の選択を受け付けると、ＴＡケア記録処理部３２５は、この選択された対象者（被監視者名）をケア記録の対象者としてＴＡ記憶部３３に記憶し、例えば図２３に示す書式選択画面６３をＴＡ表示部３６に表示する。
【０２１４】
この書式選択画面６３は、看介護の種類に応じて予め用意され選択可能な記録書式を表示し、記録書式を選択するための画面である。対象者選択画面６２は、例えば、図２３に示すように、メニューバー領域５１１と、対象者選択画面６２で選択された対象者名を表示する対象者名表示領域６３１と、選択可能な１または複数の記録書式をその名称で一覧で表示する書式表示領域６３２（６３２−１〜６３２−４）とを備える。
【０２１５】
図２３に示す例では、上述の処理で「１０１号室ＮＡＭＥ１」を表示する領域（対象者選択ボタン）６２２−１が入力操作され、対象者名表示領域６３１には、「１０１号室ＮＡＭＥ１」が表示されている。なお、この対象者名表示領域６３１は、対象者選択画面６２を表示する指示を、当該携帯端末装置ＴＡに入力するためのボタンでもある。したがって、対象者名表示領域６３１を入力操作することで、対象者選択画面６２から対象者を変更できる。
【０２１６】
また、ＴＡ表示部３６の表示領域より、書式表示領域６３２が広く、記録書式名が全てＴＡ表示部３６の表示領域に表示できない場合には、例えばフリックによってＴＡ表示部３６の表示領域に表示される書式表示領域６３２の領域部分が変更され、ＴＡ表示部３６の表示領域に表示されていない記録書式名が表示できるようになっている。そして、この記録書式名を表示する個々の領域６３２−１〜６３２−４は、監視者によって選択された記録書式を、当該携帯端末装置ＴＡに入力するためのボタンである書式選択ボタンでもある。
【０２１７】
図２３に示す例では、書式表示領域６３２は、食事ケア用の記録書式名として「食事」を表示する「食事」領域６３２−１と、水分補給ケア用の記録書式名として「水分」を表示する「水分」領域６３２−２と、排泄ケア用の記録書式名として「排泄」を表示する「排泄」領域６３２−３と、バイタルチェック用の記録書式名として「バイタル」を表示する「バイタル」領域６３２−４とを備える。
【０２１８】
そして、前記「食事」領域６３２−１は、食事ケア用の記録書式の選択を、当該携帯端末装置ＴＡに入力するためのボタンであり、前記「水分」領域６３２−２は、水分補給ケア用の記録書式の選択を、当該携帯端末装置ＴＡに入力するためのボタンであり、前記「排泄」領域６３２−３は、排泄ケア用の記録書式の選択を、当該携帯端末装置ＴＡに入力するためのボタンであり、前記「バイタル」領域６３２−４は、バイタルチェック用の記録書式の選択を、当該携帯端末装置ＴＡに入力するためのボタンである。
【０２１９】
さらに、図２３に示す例では、前記記録書式名を表示する個々の領域６３２−１〜６３２−４には、ケア記録の内容も表示されている。例えば、本日、前日および前回におけるケア記録の各内容が表示される。このケア記録の各内容を前記領域６３２に表示するために、ＴＡケア記録処理部３２５は、自機の端末ＩＤ、上述の処理で選択され入力された対象者名（被監視者名）、ならびに、本日、前日および前回におけるケア記録の各内容を要求する命令を収容する通信信号であるケア記録要求通信信号を管理サーバ装置ＳＶへ送信する。
【０２２０】
このケア記録要求通信信号を受信すると、管理サーバ装置ＳＶは、この受信したケア記録要求通信信号に収容された対象者名（被監視者名）に対応する本日、前日および前回におけるケア記録の各内容をケア記録情報記憶部２３７から取り出し、この取り出した本日、前日および前回におけるケア記録の各内容、ならびに、前記受信したケア記録要求通信信号に収容された端末ＩＤおよび対象者名（被監視者名）を収容する通信信号であるケア記録返信通信信号を、前記受信したケア記録要求通信信号の送信元の携帯端末装置ＴＡへ返信する。
【０２２１】
携帯端末装置ＴＡのＴＡ制御処理部３２は、管理サーバ装置ＳＶからこのケア記録返信通信信号を受信してその収容されたデータを取り出すことで、前記ケア記録の各内容を前記領域６３２に表示する。
【０２２２】
このような書式選択画面６３の表示中に、携帯端末装置ＴＡの前記タッチパネルを構成するＴＡ入力部３５から、記録書式名を表示する領域（書式選択ボタン）６３２の入力操作を受け付けて記録書式名の選択を受け付けると、ＴＡケア記録処理部３２５は、自機の端末ＩＤ、前記選択された記録書式名および当該記録書式名の記録書式を要求する命令を収容する通信信号である書式要求通信信号を管理サーバ装置ＳＶへ送信することで、前記選択を受け付けた記録書式を管理サーバ装置ＳＶへ要求する。
【０２２３】
この書式要求通信信号を受信すると、管理サーバ装置ＳＶのＳＶケア記録処理部２２４は、上述の書式返信の処理（図１４のステップＳ１４１５）を実行し、この受信した書式要求通信信号に応じた書式返信通信信号を、前記受信した書式要求通信信号の送信元の携帯端末装置ＴＡへ返信する。
【０２２４】
このような書式選択画面６３の表示中に、携帯端末装置ＴＡのＴＡケア記録処理部３２５は、管理サーバ装置ＳＶから書式返信通信信号を受信すると、この受信した書式返信通信信号に収容された記録書式の電子ファイルを取り出し、この取り出した記録書式の電子ファイルを用いてＴＡ表示部３６に、記録書式画面６４を表示する。
【０２２５】
例えば、上述の処理で「食事」を表示する領域（書式選択ボタン）６３２−１が入力操作されると、携帯端末装置ＴＡのＴＡ制御処理部３２は、食事ケア用の記録書式を要求するための書式要求通信信号を管理サーバ装置ＳＶへ送信する。ＴＡ制御処理部３２は、その返信として、食事ケア用の記録書式の電子ファイルを収容した返信書式通信信号を受信し、例えば、図２４に示す食事ケア用記録書式画面６４ａをＴＡ表示部３６に表示する。
【０２２６】
この食事ケア用記録書式画面６４ａは、食事ケア用の記録書式を表示する画面であって、実施した食事ケアの内容を看介護記録として入力するための画面である。前記食事ケア用記録書式画面６４ａは、例えば、図２４に示すように、メニューバー領域５１１と、対象者名を表示する対象者名表示領域６３１と、ケアの内容として入力すべき入力項目を表示して前記入力項目に応じたケアの内容をケア記録として入力するケア記録入力領域６４１ａと、このケア記録を他の端末装置ＳＰ、ＴＡから参照可能とするか否かの設定を入力する共有化チェックボックス（□）６４２と、「送信する」ボタン６４３とを備える。
【０２２７】
食事ケア用の記録書式では、例えば、本実施形態では、前記入力項目として主食の摂取量、副食の摂取量、メモおよびケア実施時刻であり、これらを入力するために、ケア記録入力領域６４１ａは、主食量を入力するための主食量入力領域６４１ａ−１と、副食量を入力するための副食量入力領域６４１ａ−２と、メモを入力するための自由記述入力領域６４１ａ−３と、看介護を実施した時刻を入力するためのケア実施時刻入力領域６４１ａ−４とを備える。
【０２２８】
共有化チェックボックス６４２では、チェックの入力操作を受け付けると、共有化チェックボックス６４２内に「レ」が表示され、記録書式画面６４（図２４に示す例では当該食事ケア用記録書式画面６４ａ）に入力された内容を他の端末装置ＳＰ、ＴＡから参照できるように設定する指示が入力される。一方、チェックの入力操作を受け付けないと、共有化チェックボックス６４２内は、空欄で表示され、記録書式画面６４（図２４に示す例では当該食事ケア用記録書式画面６４ａ）に入力された内容を他の端末装置ＳＰ、ＴＡから参照できないように設定する指示が入力される。「送信する」ボタン６４３は、記録書式画面６４（図２４に示す例では当該食事ケア用記録書式画面６４ａ）に入力された内容（図２４に示す例では食事ケアの内容）を管理サーバ装置ＳＶへ送信する指示を入力するためのボタンである。
【０２２９】
携帯端末装置ＴＡのＴＡケア記録処理部３２５は、ＴＡ表示部３６に表示された記録書式を用いて入力されたケアの内容をケア記録として管理サーバ装置ＳＶへ送信する記録書式の処理を実行する。その後に、ＴＡケア記録処理部３２５は、上述の処理で受け付けたサブメニューボタン５１１１を表示していた画面（待受け画面５１、監視情報画面５２およびナースコール受付画面５３等）をＴＡ表示部３６に表示して本処理を終了する。
【０２３０】
より具体的には、監視者（ユーザ）は、まず、ＴＡ表示部３６に表示された記録書式を参照し、この記録書式の入力項目に応じたケアの内容を入力する。上述の例では、監視者（ユーザ）は、ＴＡ表示部３６に表示された食事ケア用記録書式画面６４ａを参照し、この食事ケア用記録書式画面６４ａのケア記録入力領域６４１ａにおける各領域６４１ａ−１〜６４１ａ−４に、食事ケアの内容を入力し、必要に応じて、共有化チェックボックス（□）６４２を入力操作する。そして、監視者（ユーザ）は、「送信する」ボタン６４３を入力操作する。
【０２３１】
「送信する」ボタン６４３の入力操作を受け付けると、携帯端末装置ＴＡのＴＡ制御処理部３２は、自機の端末ＩＤ、上述の処理で選択され入力された対象者名（被監視者名）、ケアの種類名（上述の例では食事ケア）、ならびに、記録書式画面６４を用いて入力されたケア記録の内容（上述の例では、食事ケア用記録書式画面６４ａを用いて入力された主食の摂取量、副食の摂取量、メモ、ケア実施時刻および共有化の許否）を収容する通信信号であるケア記録通知通信信号を管理サーバ装置ＳＶへ送信する。このケア記録通知通信信号を受信すると、管理サーバ装置ＳＶは、上述したケア記録の処理（図１４のステップＳ１４２０）を実行する。
【０２３２】
（効果）
以上説明されたように、本実施形態では、イベント情報により表される被監視者Ｏｂの状態ごとに区別可能に、イベント情報がセンサ装置ＳＵから廊下灯ＳＤに送信される。すなわち、イベント情報により表される被監視者Ｏｂの各状態は、互いに異なるフラグで表されている。そして、廊下灯ＳＤでは、「転倒・転落」と、「体動停止」と、「起床・離床」と、「ナースコール」とに対し、異なる色のＬＥＤ４４Ｒ，４４Ｙ，４４Ｇ，４４Ｂが点灯されている。したがって、本実施形態によれば、監視者ＮＳは、廊下灯ＳＤで点灯されるＬＥＤの色を見ることによって、被監視者Ｏｂの状態を容易に把握できる。
【０２３３】
また、本実施形態では、廊下灯ＳＤは、被監視者Ｏｂの部屋ＲＭの廊下に面した外壁に配設されている。したがって、監視者ＮＳは、視界に入る全ての被監視者Ｏｂの状態を一度に把握することができる。このため、各被監視者Ｏｂの状態に応じて、各被監視者Ｏｂに対する対応の優先順位を容易に決めることが可能になる。
【０２３４】
また、本実施形態では、携帯端末装置ＴＡに表示される被監視者Ｏｂの映像を確認することなく、廊下灯ＳＤによって、被監視者Ｏｂの状態を把握できる。このため、本実施形態によれば、災害等の異常が発生して、多くの被監視者Ｏｂの映像が一斉に監視者ＮＳの携行する携帯端末装置ＴＡに送信された場合でも、一部の被監視者Ｏｂの状態を見落とすことなく、被監視者Ｏｂに対する対応の優先順位を正確に決定することができる。
【０２３５】
また、本実施形態では、図１に概略的に示されるように、第１ないし第４部屋ＲＭ−１〜ＲＭ−４は、Ｌ字形状の廊下ＣＲに面して並んで配置されている。第１ないし第４廊下灯ＳＤ−１〜ＳＤ−４は、それぞれ、第１ないし第４部屋ＲＭ−１〜ＲＭ−４の廊下ＣＲに面した外壁ＯＷ−１〜ＯＷ−４に配置されている。また、第１ないし第４廊下灯ＳＤ−１〜ＳＤ−４は、Ｌ字形状の廊下ＣＲの交差部分ＣＲＸの図１中、下方側に配置され、第５ないし第７廊下灯ＳＤ−５〜ＳＤ−７は、Ｌ字形状の廊下ＣＲの交差部分ＣＲＸの図１中、左方側に配置されている。したがって、本実施形態によれば、Ｌ字形状の廊下ＣＲの交差部分ＣＲＸに位置する監視者ＮＳは、移動することなく、７個の廊下灯ＳＤを見渡すことができる。このため、災害又は停電等の非常時に７人の被監視者の安否を一斉に確認しなければならない場合であっても、７人の被監視者の状態を見比べることにより、７人のなかで優先して対応すべき被監視者を即座に知ることができる。
【０２３６】
また、本実施形態では、センサ装置ＳＵは、非常用電源１７を備え、災害等の異常発生時に停電した場合には、二次電池により動作して、イベント情報を電池駆動の廊下灯ＳＤに送信する。したがって、本実施形態によれば、停電時でも、監視者ＮＳは、廊下灯ＳＤで点灯されるＬＥＤの色を見ることによって、被監視者Ｏｂの状態を容易に把握できる。
【０２３７】
また、本実施形態では、センサ装置ＳＵは、非常用電源１７を備え、災害等の異常発生時に停電した場合には、二次電池により動作し、センサ装置ＳＵの行動検知処理部１０２は、管理サーバ装置ＳＶに、被監視者Ｏｂの画像を送信せずに、イベント情報のみを送信している。したがって、本実施形態によれば、二次電池の残量低下が促進されるのを防止することができる。また、本実施形態では、センサ装置ＳＵの記憶処理部１０７は、管理サーバ装置ＳＶに送信しなかった被監視者Ｏｂの画像を不揮発性メモリ１６１に保存している。したがって、本実施形態によれば、監視者ＮＳは、例えば停電からの復旧後に、被監視者Ｏｂの画像を確認することができる。
【０２３８】
（変形された実施形態）
（１）廊下灯ＳＤは、センサ装置ＳＵから送信されるイベント情報のうち、起床・離床と、転落・転倒と、体動停止と、ナースコールとを区別可能に表示すればよく、上記図９に示される構成に限られない。
【０２３９】
図２５は、廊下灯ＳＤの図９と異なる構成例を概略的に示すブロック図である。図２６は、図２５の廊下灯ＳＤの点灯情報記憶部４３２に記憶されている点灯情報テーブル１０１０を示す図である。
【０２４０】
図２５の廊下灯ＳＤは、電源部４０と、ＳＤ通信ＩＦ部４１と、ＳＤ制御処理部４２と、ＳＤ記憶部４３と、ＳＤ表示部４４とを備える。ＳＤ表示部４４は、白色ＬＥＤ４４Ｗを含む。ＳＤ表示部４４の白色ＬＥＤ４４Ｗは、ＳＤ制御処理部４２に接続され、通常時は消灯している。
【０２４１】
ＳＤ記憶部４３は、上記実施形態と同様に、ＳＤ制御処理部４２に接続され、各種の所定のプログラムおよび各種の所定のデータを記憶する。各種の所定のプログラムには、例えば、廊下灯ＳＤの各部を当該各部の機能に応じてそれぞれ制御するＳＤ制御プログラム等が含まれる。各種の所定のデータでは、センサ装置ＳＵから入力されるイベント情報と、白色ＬＥＤ４４Ｗの点滅周波数との対応関係を表す点灯情報等のＳＤ制御プログラムを実行する上で必要なデータ等が含まれる。ＳＤ記憶部４３は、例えばＲＯＭやＥＥＰＲＯＭ等を備える。ＳＤ記憶部４３は、所定のプログラムの実行中に生じるデータ等を記憶するいわゆるＳＤ制御処理部４２のワーキングメモリとなるＲＡＭ等を含む。この点灯情報を記憶するために、ＳＤ記憶部４３は、点灯情報記憶部４３２を機能的に備える。
【０２４２】
点灯情報記憶部４３２は、白色ＬＥＤ４４Ｗの点滅周波数を表す点灯情報を記憶する。具体的には、点灯情報記憶部４３２には、本実施形態では、前記点灯情報として、センサ装置ＳＵから受信したイベント情報（本実施形態では起床、離床、転落、転倒、体動停止およびナースコール）の種別と、白色ＬＥＤ４４Ｗの点滅周波数とが互いに対応付けて記憶される。
【０２４３】
この点灯情報は、この変形された実施形態では、テーブル形式で点灯情報記憶部４３２に記憶されている。この点灯情報を登録する点灯情報テーブル１０１０は、例えば、図２６に示されるように、センサ装置ＳＵから送信されたイベント情報の種別を登録する種別フィールド１０１１と、白色ＬＥＤ４４Ｗの点滅周波数を登録する周波数フィールド１０１２とを備える。種別フィールド１０１１の登録内容は、上記実施形態の図１０と同じである。
【０２４４】
センサ装置ＳＵから送信されるイベント情報の種別は、上記実施形態と同様に、図２６に示されるようにフラグで表され、それぞれ異なる点滅周波数に対応している。具体的には、「転倒」は、フラグ「０００」で表され、周波数５［Ｈｚ］に対応し、「転落」は、フラグ「００１」で表され、周波数５［Ｈｚ］に対応し、「体動停止」は、フラグ「０１０」で表され、周波数２［Ｈｚ］に対応し、「起床」は、フラグ「０１１」で表され、周波数１［Ｈｚ］に対応し、「離床」は、フラグ「１００」で表され、周波数１［Ｈｚ］に対応し、「ナースコール」は、フラグ「１０１」で表され、周波数０［Ｈｚ］（つまりオン）に対応している。
【０２４５】
ＳＤ制御処理部４２は、例えば、ＣＰＵおよびその周辺回路と、スイッチ素子４２３とを備え、廊下灯ＳＤの各部を当該各部の機能に応じてそれぞれ制御する。ＳＤ制御処理部４２は、ＳＤ記憶部４３に記憶されているＳＤ制御プログラムをＣＰＵが実行することによって、点灯制御部４２４を機能的に備える。
【０２４６】
スイッチ素子４２３は、点灯制御部４２４の制御下で、電源部４０と白色ＬＥＤ４４Ｗとの接続のオンオフを切り替えて、白色ＬＥＤ４４Ｗを点灯又は点滅させる。スイッチ素子４２３は、例えばトランジスタを含む回路で構成されてもよい。
【０２４７】
点灯制御部４２４は、ＳＤ通信ＩＦ部４１を介してセンサ装置ＳＵからイベント情報を受信するまでは、スイッチ素子４２３を制御して、白色ＬＥＤ４４Ｗを電源部４０と接続しない状態とし、白色ＬＥＤ４４Ｗを消灯している。
【０２４８】
ＳＤ通信ＩＦ部４１を介してセンサ装置ＳＵからイベント情報を受信すると、点灯制御部４２４は、受信したイベント情報の種別を判定する。点灯制御部４２４は、判定したイベント情報の種別に対応する点滅周波数を、点灯情報記憶部４３２に記憶されている点灯情報テーブル１０１０から取得する。点灯制御部４２４は、スイッチ素子４２３を制御して、取得した点滅周波数で白色ＬＥＤ４４Ｗを点滅又は点灯させる。
【０２４９】
例えば、ＳＤ通信ＩＦ部４１を介してセンサ装置ＳＵから受信したイベント情報がフラグ「０００」を含む場合には、点灯制御部４２２は、イベント情報に含まれるイベントが「転倒」であると判定し、点灯情報テーブル１０１０から周波数５［Ｈｚ］を取得し、スイッチ素子４２３を制御して、白色ＬＥＤ４４Ｗを周波数５［Ｈｚ］で点滅させる。
【０２５０】
この変形された実施形態において、白色ＬＥＤ４４Ｗは、表示器の一例に相当し、点灯制御部４２４は、表示制御部の一例に相当する。この変形された実施形態でも、上記実施形態と同様の効果を得ることができる。
【０２５１】
（２）上記実施形態では、廊下灯ＳＤにおいて、被監視者Ｏｂの状態として、「転落」と「転倒」とは区別されておらず、同じ赤色ＬＥＤ４４Ｒが点灯され、「起床」と「離床」とは区別されておらず、同じ緑色ＬＥＤ４４Ｇが点灯されている。代替的に、「転落」、「転倒」、「起床」、「離床」を全て区別して、互いに別の色の光が点灯するように構成されてもよい。
【０２５２】
（３）上記実施形態では、廊下灯ＳＤにおいて、「転倒・転落」のときに赤色ＬＥＤ４４Ｒを点灯し、「体動停止」のときに黄色ＬＥＤ４４Ｙを点灯し、「起床・離床」のときに緑色ＬＥＤ４４Ｇを点灯し、「ナースコール」のときに青色ＬＥＤ４４Ｂを点灯しているが、それぞれ、点灯する色を入れ替えてもよい。また、この支援システムＭＳは、使用開始時又は使用開始後に、監視者ＮＳが、それぞれ点灯する色を選択できるように構成されてもよい。
【０２５３】
（４）上記実施形態では、廊下灯ＳＤのＳＤ表示部４４は、４色のＬＥＤ４４Ｒ，４４Ｙ，４４Ｇ，４４Ｂを備え、「転倒・転落」、「体動停止」、「起床・離床」、「ナースコール」の４種類を区別可能に表示しているが、４色に限られない。
【０２５４】
代替的に、廊下灯ＳＤのＳＤ表示部４４は、例えば２色又は３色のＬＥＤを備え、２種類又は３種類の被監視者Ｏｂの状態を区別可能に表示してもよい。さらに代替的に、廊下灯ＳＤのＳＤ表示部４４は、例えば白色ＬＥＤを追加して、５色のＬＥＤを備え、５種類の被監視者Ｏｂの状態を区別可能に表示してもよい。さらに代替的に、廊下灯ＳＤの点灯制御部４２２は、４色のＬＥＤ４４Ｒ，４４Ｙ，４４Ｇ，４４Ｂを点灯又は点滅させて、合計８種類の被監視者Ｏｂの状態を区別可能に表示してもよい。
【０２５５】
（５）上記実施形態では、支援システムＭＳは、複数の被監視者Ｏｂが入居する複数の部屋ＲＭや、ナースステーション等の複数の部屋を備える介護施設の建物に配設されている例で説明されているが、これに限られない。支援システムＭＳは、上述のように、被監視者Ｏｂの種類に応じて、病院、老人福祉施設および住戸等の建物に好適に配設される。
【０２５６】
支援システムＭＳは、例えば在宅介護を行っている家庭の住戸に配設されてもよい。この場合、センサ装置ＳＵは、介護される被監視者Ｏｂの寝室に配設されてもよい。廊下灯ＳＤは、被監視者Ｏｂの寝室の直ぐ外側に配設されてもよい。代替的に、廊下灯ＳＤは、居間、食堂、又は台所等に配設されてもよい。廊下灯ＳＤが居間、食堂、又は台所等に配設されると、廊下灯ＳＤが点灯したときに、被監視者Ｏｂ以外の家族が気付きやすいので好ましい。
【０２５７】
（その他）
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【符号の説明】
【０２５８】
ＭＳ  支援システム
ＮＣ  ナースコール装置
ＮＳ  監視者
Ｏｂ  被監視者
ＳＤ  廊下灯
ＳＵ、ＳＵ−１〜ＳＵ−４  センサ装置
ＳＶ  管理サーバ装置
ＳＰ  固定端末装置
ＴＡ、ＴＡ−１、ＴＡ−２  携帯端末装置
４４Ｒ，４４Ｙ，４４Ｇ，４４Ｂ，４４Ｗ  ＬＥＤ
４２２，４２４  点灯制御部
【図１】
2018114072.tif 000003
【図２】
2018114072.tif 000004
【図３】
2018114072.tif 000005
【図４】
2018114072.tif 000006
【図５】
2018114072.tif 000007
【図６】
2018114072.tif 000008
【図７】
2018114072.tif 000009
【図８】
2018114072.tif 000010
【図９】
2018114072.tif 000011
【図１０】
2018114072.tif 000012
【図１１】
2018114072.tif 000013
【図１２】
2018114072.tif 000014
【図１３】
2018114072.tif 000015
【図１４】
2018114072.tif 000016
【図１５】
2018114072.tif 000017
【図１６】
2018114072.tif 000018
【図１７】
2018114072.tif 000019
【図１８】
2018114072.tif 000020
【図１９】
2018114072.tif 000021
【図２０】
2018114072.tif 000022
【図２１】
2018114072.tif 000023
【図２２】
2018114072.tif 000024
【図２３】
2018114072.tif 000025
【図２４】
2018114072.tif 000026
【図２５】
2018114072.tif 000027
【図２６】
2018114072.tif 000028